(57)【要約】【課題】自動販売機の管理者のリモコン操作の作業効率を悪化させることなく、悪者のリモコンの不正操作による盗難やイタズラを防止する。【解決手段】演算制御部６ａは、ドア開状態でリモコン２が操作されると、リモコン２の操作を有効とすると共にリモコン２がどの操作モードで使用されているかを検知し、ドアが閉じられると、タイマー手段５の計時動作を（再）スタートさせ、ドア閉状態でのタイマー手段５の計測した時間が操作モードに対応する操作有効時間に達した後は、ドア閉状態でのリモコン２の操作を無効とする。また、操作モードに対応する操作有効時間に達する前にドア閉状態でリモコン２が操作されると、リモコン２の今回の操作を有効とすると共にリモコン２がどの操作モードで使用されているかを検知し且つタイマー手段５の計測した時間をリセットして計時動作を再スタートさせる。【選択図】図１
2014225052.tif 000002
【特許請求の範囲】
【請求項１】
自動販売機本体の前面に設けられたドアの開閉状態を検知するドア状態検知手段と、操作することにより自動販売機の各種設定、設定変更、各種テストを実施することができる設定手段と、前記設定手段がどの操作モードで使用されているかを検知する操作モード検知手段と、操作モード毎の操作有効時間を記憶する操作有効時間記憶手段と、タイマー手段と、演算制御部とからなり、
前記演算制御部は、
前記ドア状態検知手段が前記ドア開状態を検知している時に前記設定手段が操作されたことを検知すると、前記設定手段の操作を有効とすると共に前記操作モード検知手段により前記設定手段がどの操作モードで使用されているかを検知し、
前記ドア状態検知手段により前記ドアが開状態から閉状態に変わったことを検知した場合は、前記タイマー手段が停止状態であれば計時動作をスタートさせ、前記タイマー手段が計時動作状態であれば計測した時間をリセットして計時動作を再スタートさせ、
前記ドア閉状態での前記タイマー手段の計測した時間が前記操作有効時間記憶手段から読み出した前記操作モードに対応する操作有効時間に達した後は、前記ドア閉状態での前記設定手段の操作を無効とし、
前記ドア閉状態での前記タイマー手段の計測した時間が前記操作有効時間記憶手段から読み出した前記操作モードに対応する操作有効時間に達する前に前記ドア閉状態で前記設定手段が操作されたことを検知すると、前記設定手段の今回の操作を有効とすると共に前記操作モード検知手段により前記設定手段がどの操作モードで使用されているかを検知し且つ前記タイマー手段の計測した時間をリセットして計時動作を再スタートさせることを特徴とした自動販売機の制御装置。
【請求項２】
自動販売機本体の前面に設けられたドアの開閉状態を検知するドア状態検知手段と、操作することにより自動販売機の各種設定、設定変更、各種テストを実施することができる設定手段と、前記設定手段がどの操作モードで使用されているかを検知する操作モード検知手段と、操作モード毎の操作有効時間を記憶する操作有効時間記憶手段と、タイマー手段と、演算制御部とからなり、
前記演算制御部は、
前記ドア状態検知手段が前記ドア開状態を検知している時に前記設定手段が操作されたことを検知すると、前記設定手段の操作を有効とすると共に前記操作モード検知手段により前記設定手段がどの操作モードで使用されているかを検知し且つ前記タイマー手段が停止状態であれば計時動作をスタートさせ、前記タイマー手段が計時動作状態であれば計測した時間をリセットして計時動作を再スタートさせ、
前記ドア開状態での前記タイマー手段の計測する時間が所定時間に達した後で前記ドア状態検知手段により前記ドアが開状態から閉状態に変わったことを検知した場合は、前記ドア閉状態での前記設定手段の操作を無効とし、
前記ドア開状態での前記タイマー手段の計測する時間が所定時間に達する前に前記ドア状態検知手段により前記ドアが開状態から閉状態に変わったことを検知した場合は、
前記タイマー手段の計測した時間をリセットして計時動作を再スタートさせ、
前記ドア閉状態での前記タイマー手段の計測した時間が前記操作有効時間記憶手段から読み出した前記操作モードに対応する操作有効時間に達した後は、前記ドア閉状態での前記設定手段の操作を無効とし、
前記ドア閉状態での前記タイマー手段の計測した時間が前記操作有効時間記憶手段から読み出した前記操作モードに対応する操作有効時間に達する前に前記ドア閉状態で前記設定手段が操作されたことを検知すると、前記設定手段の今回の操作を有効とすると共に前記操作モード検知手段により前記設定手段がどの操作モードで使用されているかを検知し且つ前記タイマー手段の計測した時間をリセットして計時動作を再スタートさせることを特徴とした自動販売機の制御装置。
【請求項３】
前記所定時間を前記操作モードに応じて変えたことを特徴とした請求項２に記載の自動販売機の制御装置。
【請求項４】
前記自動販売機本体または前記ドアから所定範囲内に人がいることを検知する人検知手段を備え、前記演算制御部は、前記人検知手段が、前記自動販売機本体または前記ドアから所定範囲内に人がいることを、前記ドアが閉状態になった直後から連続して検知している間は、前記設定手段の操作を有効とすることを特徴とした請求項１から３のいずれか一項に記載の自動販売機の制御装置。
【発明の詳細な説明】
【技術分野】
【０００１】
本発明は、操作することにより自動販売機の各種設定、設定変更、各種テストを実施することができるリモコンなどの設定手段を備えた自動販売機の制御装置に関するものである。
【背景技術】
【０００２】
一般に、缶、ＰＥＴボトル等の容器に入った飲料商品を販売する飲料自動販売機は、前面を開口した商品収納室に商品を収納する商品収納コラムを多数配設した自動販売機本体と、この自動販売機本体の前面開口部を開閉可能に自動販売機本体の前面に取り付けられたドアを有している。
【０００３】
そして、ドアの前面には、目視確認し易い箇所に複数の商品見本が並べられた商品展示室、商品見本に対応して配設された商品選択ボタン、比較的右寄りに硬貨投入口及び紙幣投入口、商品展示室の下方に商品取出口が設けられている。
【０００４】
また、ドアの裏面には、操作することにより自動販売機の各種設定、設定変更、各種テストを実施することができる有線のリモコンが取り外し可能に取り付けられている。
【０００５】
そして、自動販売機の初期設定をする時や旧商品から新商品に販売する商品を替える時には、自動販売機の管理者（またはサービスマン）が商品選択ボタンを押すことで、商品収納コラムから払い出した商品が、その商品見本と対応するように、リモコンを操作して設定作業を行う。
【０００６】
また、商品の販売価格や、商品の冷温設定（実際には、商品収納コラムが設けられている商品収納室）の冷温設定等も、自動販売機の管理者（またはサービスマン）がリモコンを操作して設定作業を行う。
【０００７】
また、商品選択ボタンと商品収納コラムとの対応関係を設定する作業が能率よく行えるように、所定のリモコン操作を行うことで、フリーベンド（金銭投入なしに商品提供許可）設定となり、金銭が投入されていない状態でも、商品選択ボタンを押せば、その商品選択ボタンに対応する商品収納コラムから商品を払い出すテスト払出機能を備えた自動販売機も既に実用化されている（例えば、特許文献１参照）。
【０００８】
なお、テスト払出を行う場合は、例えば、まずドアを開けた状態で、リモコンを、ドアの裏面から取り外すとともにドアの下部に形成された商品取出口などを通して外部に取り出し、この後、自動販売機のドアを閉じて、商品が商品取出口に払出可能な状態とし、リモコンから所定の操作を行う。
【０００９】
このように自動販売機をテスト払出状態として、商品選択ボタンを押すことで、押す操作をした商品選択ボタンに対応する商品収納コラムから商品が払い出され、商品選択ボタンに対応する商品見本と同じ商品が払い出されることを能率的に確認することができる。
【００１０】
このような自動販売機では、ドアの少なくとも一部が破壊されて、リモコンが不正に操作されて、例えば、価格設定やフリーベンド（金銭投入なしに商品提供許可）設定が変更されて、自動販売機内の商品が抜き取られる虞がある。
【００１１】
このような悪者による盗難やイタズラを防止するために、ドアが閉じられている状態で
は、リモコンの操作を無効にするように構成した場合は、自動販売機の管理者（またはサービスマン）が、ドアを閉じた状態で、リモコン操作により自動販売機の各種設定、設定変更、各種テストを実施することができなくなる。
【００１２】
そこで、ドアを閉じた状態でのリモコンの操作を無効にする操作無効モードに設定した場合でも、ドアを閉じて所定の禁止解除時間の間は、リモコンの操作を有効とする操作無効例外解除モードを設定可能にし、さらに、操作無効例外解除モードで、禁止解除時間が経過する前にリモコンが操作された場合には、新たにリモコンが操作された時点を、禁止解除時間の開始時間としてリセットし、このリセット後に禁止解除時間が経過するまではリモコンの操作を有効とする自動販売機が提案されている（例えば、特許文献２参照）。
【００１３】
上記特許文献２に開示された自動販売機は、操作無効例外解除モードに設定することにより、ドアを閉じても所定の禁止解除時間の間は、リモコンを操作することにより自動販売機の各種設定、設定変更、各種テストを実施することができるというものである。
【００１４】
また、上記特許文献２に開示された自動販売機は、自動販売機の管理者（またはサービスマン）のリモコン操作が長時間にわたったり、リモコン操作を何度も行ったりするなどして、ドアを閉じてから所定の禁止解除時間が経過した場合でも、その前に操作された時点から禁止解除時間が経過しなければ、リモコンの操作が有効となるので、自動販売機の各種設定、設定変更、各種テストを実施することができるというものである。
【００１５】
そして、上記特許文献２に開示された自動販売機は、上記構成により、自動販売機の管理者（またはサービスマン）が、リモコンの操作を有効にするために、わざわざドアを開け閉めする手間を省くことができるというものである。
【００１６】
また、上記特許文献２に開示された自動販売機は、ドアを閉じて所定の禁止解除時間が経過すると、リモコンの操作が無効になるので、悪者が、ドアの少なくとも一部を破壊した後に、ドアを閉じたままの状態で、商品取出口などからリモコンを外部に取り出して操作した場合でも、商品が抜き取られることや、自動販売機の設定条件が変更されることを防止できるというものである。
【先行技術文献】
【特許文献】
【００１７】
【特許文献１】特開２００４−３１８６２６号公報
【特許文献２】特開２０１２−１３３５００号公報
【発明の概要】
【発明が解決しようとする課題】
【００１８】
しかしながら、上記従来の自動販売機では、禁止解除時間（初期設定は３０分）を変更可能に構成することも可能としているものの、リモコンの操作モードが、どの操作モードでも、禁止解除時間は同一である。
【００１９】
そのため、リモコンの操作の間隔（リモコンの前回の操作から今回の操作までの間隔）が比較的長い作業に合わせて、禁止解除時間を長めに設定していた場合は、自動販売機の管理者（またはサービスマン）がリモコンの操作の終えて帰るのを待ち構えていた悪者が、管理者（またはサービスマン）が帰った直後にリモコンを不正に操作して、商品が抜き取られることや、自動販売機の設定条件が変更される可能性があった。
【００２０】
また、逆に、禁止解除時間を短めに設定していた場合は、自動販売機の管理者（またはサービスマン）が、リモコンの次の操作を有効にするために、ドアを開け閉めする手間、
禁止解除時間を長めに設定し直す手間、禁止解除時間の開始時間をリセットするための操作を行う手間などが増えて、作業効率が悪くなるという課題を有していた。
【００２１】
そこで、本発明は、上記従来の課題に鑑み、自動販売機の管理者（またはサービスマン）の設定手段（リモコン）の操作の作業効率を悪化させることなく、悪者の設定手段（リモコン）の不正操作による盗難やイタズラを防止することができる自動販売機の制御装置を提供することを目的としている。
【課題を解決するための手段】
【００２２】
上記目的を達成するために、本発明の自動販売機の制御装置は、自動販売機本体の前面に設けられたドアの開閉状態を検知するドア状態検知手段と、操作することにより自動販売機の各種設定、設定変更、各種テストを実施することができる設定手段（例えば、リモコン）と、前記設定手段がどの操作モードで使用されているかを検知する操作モード検知手段と、操作モード毎の操作有効時間を記憶する操作有効時間記憶手段と、タイマー手段と、演算制御部とを備えている。
【００２３】
ここで、前記演算制御部は、前記ドア状態検知手段が前記ドア開状態を検知している時に前記設定手段が操作されたことを検知すると、前記設定手段の操作を有効とすると共に前記操作モード検知手段により前記設定手段がどの操作モードで使用されているかを検知し、前記ドア状態検知手段により前記ドアが開状態から閉状態に変わったことを検知した場合は、前記タイマー手段の計時動作をスタート（前記タイマー手段が計時動作状態であれば計測した時間をリセットして計時動作を再スタート）させるのである。
【００２４】
そして、前記演算制御部は、前記ドア閉状態での前記タイマー手段の計測した時間が前記操作有効時間記憶手段から読み出した前記操作モードに対応する操作有効時間に達した後は、前記ドア閉状態での前記設定手段の操作を無効とするのである。
【００２５】
また、前記演算制御部は、前記ドア閉状態での前記タイマー手段の計測した時間が前記操作有効時間記憶手段から読み出した前記操作モードに対応する操作有効時間に達する前に前記ドア閉状態で前記設定手段が操作されたことを検知すると、前記設定手段の今回の操作を有効とすると共に前記操作モード検知手段により前記設定手段がどの操作モードで使用されているかを検知し且つ前記タイマー手段の計測した時間をリセットして計時動作を再スタートさせるのである。
【００２６】
上記構成により、自動販売機のドアが閉められてから、（ドアを閉める前の設定手段（リモコン）の最後の操作の）操作モードに対応する操作有効時間を経過した後は、ドア閉状態での設定手段（リモコン）の操作が無効になる。
【００２７】
したがって、悪者は、自動販売機のドアが閉められてから、（ドアを閉める前の設定手段（リモコン）の最後の操作の）操作モードに対応する操作有効時間を経過した後は、ドア閉状態で設定手段（リモコン）を操作しても、設定手段（リモコン）の操作が無効になるので、価格設定やフリーベンド（金銭投入なしに商品提供許可）設定を変更することができず、そのため、ドア閉状態で設定手段（リモコン）を操作して自動販売機内の商品を抜き取る等の盗難やイタズラをすることができない。
【００２８】
そして、自動販売機の管理者（またはサービスマン）が、通常作業で、最後にドアを閉める直前に行う設定手段（リモコン）の操作（操作モード）が決まっていれば、その最後にドアを閉める直前に行う設定手段（リモコン）の操作の操作モードに対応する操作有効時間を、比較的短くしておくことにより、悪者が、設定手段（リモコン）を不正操作できる時間を短くすることができる。
【００２９】
または、自動販売機の管理者（またはサービスマン）が、操作有効時間が比較的短い設定手段の操作（操作モード）を、最後にドアを閉める直前に行うようにすることにより、悪者が、設定手段（リモコン）を不正操作できる時間を短くすることができる。
【００３０】
そして、自動販売機の管理者（またはサービスマン）が、作業を終えても、最後にドアを閉めてから、（ドアを閉める前の設定手段（リモコン）の最後の操作の）操作モードに対応する操作有効時間を経過するまでは、自動販売機を監視可能な場所から離れないようにすれば、ドア閉状態で設定手段（リモコン）を操作して自動販売機内の商品を抜き取る等の盗難やイタズラをすることを、より確実に防止できる。
【００３１】
また、上記構成により、自動販売機のドアが閉められてから、（ドアを閉める前の設定手段（リモコン）の最後の操作の）操作モードに対応する操作有効時間を経過した後は、ドア閉状態での設定手段（リモコン）の操作が（操作者が誰であっても）無効になり、また、ドアが閉められた後で設定手段（リモコン）での最後の有効な操作が行われてから、（ドアを閉めた後の設定手段（リモコン）の最後の有効な操作の）操作モードに対応する操作有効時間を経過した後は、ドア閉状態での設定手段（リモコン）の操作が（操作者が誰であっても）無効になる。
【００３２】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、設定手段（リモコン）の次の操作を有効にするために、ドアを開け閉めする手間、操作有効時間を長めに設定し直す手間、操作有効時間の開始時間をリセットするための操作を行う手間などが増えることを防ぐことができ、作業効率の悪化を抑制できる。
【００３３】
したがって、本発明の自動販売機の制御装置は、自動販売機の管理者（またはサービスマン）の設定手段（リモコン）の操作の作業効率を悪化させることなく、悪者の設定手段（リモコン）の不正操作による盗難やイタズラを防止することができる。
【発明の効果】
【００３４】
本発明の自動販売機の制御装置は、従来例の禁止解除時間に相当する操作有効時間を、設定手段（リモコン）の操作の操作モード毎に有効時間が異なる操作有効時間にすることができ、それぞれの操作モードに対応する操作有効時間が採用されるので、自動販売機の管理者（またはサービスマン）の設定手段（リモコン）の操作の作業効率を悪化させることなく、悪者の設定手段（リモコン）の不正操作による盗難やイタズラを防止することができる。
【図面の簡単な説明】
【００３５】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【図５】本発明による自動販売機の制御装置の実施の形態１の機能ブロック図
【図６】同実施の形態による自動販売機の制御装置の動作を示すフローチャート
【図７】本発明による自動販売機の制御装置の実施の形態２の機能ブロック図
【図８】同実施の形態による自動販売機の制御装置の動作を示すフローチャート
【発明を実施するための形態】
【００３６】
第１の発明は、自動販売機本体の前面に設けられたドアの開閉状態を検知するドア状態
検知手段と、操作することにより自動販売機の各種設定、設定変更、各種テストを実施することができる設定手段（例えば、リモコン）と、前記設定手段がどの操作モードで使用されているかを検知する操作モード検知手段と、操作モード毎の操作有効時間を記憶する操作有効時間記憶手段と、タイマー手段と、演算制御部とを備えた自動販売機の制御装置である。
【００３７】
ここで、前記演算制御部は、前記ドア状態検知手段が前記ドア開状態を検知している時に前記設定手段が操作されたことを検知すると、前記設定手段の操作を有効とすると共に前記操作モード検知手段により前記設定手段がどの操作モードで使用されているかを検知し、前記ドア状態検知手段により前記ドアが開状態から閉状態に変わったことを検知した場合は、前記タイマー手段が停止状態であれば計時動作をスタートさせ、前記タイマー手段が計時動作状態であれば計測した時間をリセットして計時動作を再スタートさせるのである。
【００３８】
そして、前記演算制御部は、前記ドア閉状態での前記タイマー手段の計測した時間が前記操作有効時間記憶手段から読み出した前記操作モードに対応する操作有効時間に達した後は、前記ドア閉状態での前記設定手段の操作を無効とするのである。
【００３９】
また、前記演算制御部は、前記ドア閉状態での前記タイマー手段の計測した時間が前記操作有効時間記憶手段から読み出した前記操作モードに対応する操作有効時間に達する前に前記ドア閉状態で前記設定手段が操作されたことを検知すると、前記設定手段の今回の操作を有効とすると共に前記操作モード検知手段により前記設定手段がどの操作モードで使用されているかを検知し且つ前記タイマー手段の計測した時間をリセットして計時動作を再スタートさせるのである。
【００４０】
上記構成により、自動販売機のドアが閉められてから、（ドアを閉める前の設定手段（リモコン）の最後の操作の）操作モードに対応する操作有効時間を経過した後は、再びドアを開く操作をしない限り、ドア閉状態での設定手段（リモコン）の操作が無効になる。
【００４１】
したがって、悪者は、自動販売機のドアが閉められてから、（ドアを閉める前の設定手段（リモコン）の最後の操作の）操作モードに対応する操作有効時間を経過した後は、再びドアを開く操作をしない限り、ドア閉状態で設定手段（リモコン）を操作しても、設定手段（リモコン）の操作が無効になるので、価格設定やフリーベンド（金銭投入なしに商品提供許可）設定を変更することができず、そのため、ドア閉状態で設定手段（リモコン）を操作して自動販売機内の商品を抜き取る等の盗難やイタズラをすることができない。
【００４２】
そして、自動販売機の管理者（またはサービスマン）が、通常作業で、最後にドアを閉める直前に行う設定手段（リモコン）の操作（操作モード）が決まっていれば、その最後にドアを閉める直前に行う設定手段（リモコン）の操作の操作モードに対応する操作有効時間を、比較的短くしておくことにより、悪者が、設定手段（リモコン）を不正操作できる時間を短くすることができる。
【００４３】
または、自動販売機の管理者（またはサービスマン）が、操作有効時間が比較的短い設定手段の操作（操作モード）を、最後にドアを閉める直前に行うようにすることにより、悪者が、設定手段（リモコン）を不正操作できる時間を短くすることができる。
【００４４】
そして、自動販売機の管理者（またはサービスマン）が、作業を終えても、最後にドアを閉めてから、（ドアを閉める前の設定手段（リモコン）の最後の操作の）操作モードに対応する操作有効時間を経過するまでは、自動販売機を監視可能な場所から離れないようにすれば、ドア閉状態で設定手段（リモコン）を操作して自動販売機内の商品を抜き取る
等の盗難やイタズラをすることを、より確実に防止できる。
【００４５】
上記構成においては、自動販売機のドアが閉められてから、（ドアを閉める前の設定手段（リモコン）の最後の操作の）操作モードに対応する操作有効時間を経過した後は、再びドアを開く操作をしない限り、ドア閉状態での設定手段（リモコン）の操作が（操作者が誰であっても）無効になり、また、ドアが閉められた後で設定手段（リモコン）での最後の有効な操作が行われてから、（ドアを閉めた後の設定手段（リモコン）の最後の有効な操作の）操作モードに対応する操作有効時間を経過した後は、再びドアを開く操作をしない限り、ドア閉状態での設定手段（リモコン）の操作が（操作者が誰であっても）無効になる。
【００４６】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、設定手段（リモコン）の次の操作を有効にするために、ドアを開け閉めする手間、操作有効時間を長めに設定し直す手間、操作有効時間の開始時間をリセットするための操作を行う手間などが増えることを防ぐことができ、作業効率の悪化を抑制できる。
【００４７】
したがって、第１の発明の自動販売機の制御装置は、自動販売機の管理者（またはサービスマン）の設定手段（リモコン）の操作の作業効率を悪化させることなく、悪者の設定手段（リモコン）の不正操作による盗難やイタズラを防止することができる。
【００４８】
第２の発明は、自動販売機本体の前面に設けられたドアの開閉状態を検知するドア状態検知手段と、操作することにより自動販売機の各種設定、設定変更、各種テストを実施することができる設定手段（例えば、リモコン）と、前記設定手段がどの操作モードで使用されているかを検知する操作モード検知手段と、操作モード毎の操作有効時間を記憶する操作有効時間記憶手段と、タイマー手段と、演算制御部とを備えた自動販売機の制御装置である。
【００４９】
ここで、前記演算制御部は、前記ドア状態検知手段が前記ドア開状態を検知している時に前記設定手段が操作されたことを検知すると、前記設定手段の操作を有効とすると共に前記操作モード検知手段により前記設定手段がどの操作モードで使用されているかを検知し且つ前記タイマー手段が停止状態であれば計時動作をスタートさせ、前記タイマー手段が計時動作状態であれば計測した時間をリセットして計時動作を再スタートさせるのである。
【００５０】
そして、前記演算制御部は、前記ドア開状態での前記タイマー手段の計測する時間が所定時間に達した後で前記ドア状態検知手段により前記ドアが開状態から閉状態に変わったことを検知した場合は、前記ドア閉状態での前記設定手段の操作を無効とするのである。
【００５１】
また、前記演算制御部は、前記ドア開状態での前記タイマー手段の計測する時間が所定時間に達する前に前記ドア状態検知手段により前記ドアが開状態から閉状態に変わったことを検知した場合は、前記タイマー手段の計測した時間をリセットして計時動作を再スタートさせ、前記ドア閉状態での前記タイマー手段の計測した時間が前記操作有効時間記憶手段から読み出した前記操作モードに対応する操作有効時間に達した後は、前記ドア閉状態での前記設定手段の操作を無効とするのである。
【００５２】
また、前記演算制御部は、前記ドア閉状態での前記タイマー手段の計測した時間が前記操作有効時間記憶手段から読み出した前記操作モードに対応する操作有効時間に達する前に前記ドア閉状態で前記設定手段が操作されたことを検知すると、前記設定手段の今回の
操作を有効とすると共に前記操作モード検知手段により前記設定手段がどの操作モードで使用されているかを検知し且つ前記タイマー手段の計測した時間をリセットして計時動作を再スタートさせるのである。
【００５３】
上記構成により、ドアを閉める前の設定手段（リモコン）の最後の操作から所定時間を経過した後に自動販売機のドアが閉められた場合は、再びドアを開く操作をしない限り、ドア閉状態での設定手段（リモコン）の操作が無効になる。
【００５４】
したがって、悪者は、ドアを閉める前の設定手段（リモコン）の最後の操作から所定時間を経過した後に自動販売機のドアが閉められていた場合は、再びドアを開く操作をしない限り、ドア閉状態で設定手段（リモコン）を操作しても、設定手段（リモコン）の操作が無効になるので、価格設定やフリーベンド（金銭投入なしに商品提供許可）設定を変更することができず、そのため、ドア閉状態で設定手段（リモコン）を操作して自動販売機内の商品を抜き取る等の盗難やイタズラをすることができない。
【００５５】
言い換えると、自動販売機の管理者（またはサービスマン）が、作業の最後の設定手段（リモコン）を操作してから所定時間を経過した後に自動販売機のドアを閉めるようにすれば、ドア閉状態で設定手段（リモコン）を操作して自動販売機内の商品を抜き取る等の盗難やイタズラをすることを、より確実に防止できる。
【００５６】
また、ドアを閉める前の設定手段（リモコン）の最後の操作から所定時間以内に自動販売機のドアが閉められていた場合であっても、自動販売機のドアが閉められてから、（ドアを閉める前の設定手段（リモコン）の最後の操作の）操作モードに対応する操作有効時間を経過した後は、再びドアを開く操作をしない限り、ドア閉状態での設定手段（リモコン）の操作が無効になる。
【００５７】
したがって、悪者は、ドアを閉める前の設定手段（リモコン）の最後の操作から所定時間以内に自動販売機のドアが閉められてから、（ドアを閉める前の設定手段（リモコン）の最後の操作の）操作モードに対応する操作有効時間を経過した後は、再びドアを開く操作をしない限り、ドア閉状態で設定手段（リモコン）を操作しても、設定手段（リモコン）の操作が無効になるので、価格設定やフリーベンド（金銭投入なしに商品提供許可）設定を変更することができず、そのため、ドア閉状態で設定手段（リモコン）を操作して自動販売機内の商品を抜き取る等の盗難やイタズラをすることができない。
【００５８】
そして、自動販売機の管理者（またはサービスマン）が、通常作業で、最後にドアを閉める直前に行う設定手段（リモコン）の操作（操作モード）が決まっていれば、その最後にドアを閉める直前に行う設定手段（リモコン）の操作の操作モードに対応する操作有効時間を、比較的短くしておくことにより、ドアを閉める前の設定手段（リモコン）の最後の操作から所定時間以内に自動販売機のドアを閉めた場合における、悪者が、設定手段（リモコン）を不正操作できる時間を短くすることができる。
【００５９】
または、自動販売機の管理者（またはサービスマン）が、操作有効時間が比較的短い設定手段の操作（操作モード）を、最後にドアを閉める直前に行うようにすることにより、ドアを閉める前の設定手段（リモコン）の最後の操作から所定時間以内に自動販売機のドアを閉めた場合における、悪者が、設定手段（リモコン）を不正操作できる時間を短くすることができる。
【００６０】
そして、自動販売機の管理者（またはサービスマン）が、ドアを閉める前の設定手段（リモコン）の最後の操作から所定時間以内に自動販売機のドアを閉めて作業を終えても、作業を終えるドア閉操作から、（ドアを閉める前の設定手段（リモコン）の最後の操作の
）操作モードに対応する操作有効時間を経過するまでは、自動販売機を監視可能な場所から離れないようにすれば、ドア閉状態で設定手段（リモコン）を操作して自動販売機内の商品を抜き取る等の盗難やイタズラをすることを、より確実に防止できる。
【００６１】
上記構成では、ドアを閉める前の設定手段（リモコン）の最後の操作から所定時間を経過した後に自動販売機のドアが閉められた場合は、再びドアを開く操作をしない限り、ドア閉状態での設定手段（リモコン）の操作が（操作者が誰であっても）無効になる。
【００６２】
しかしながら、この所定時間を、予め適切に設定しておけば、自動販売機の管理者（またはサービスマン）が、設定手段（リモコン）の次の操作を有効にするために、ドア開状態で設定手段（リモコン）を操作して所定時間の開始時間をリセットする手間などが増えることを防ぐことができ、作業効率の悪化を抑制できる。
【００６３】
また、上記構成では、ドアを閉める前の設定手段（リモコン）の最後の操作から所定時間以内に自動販売機のドアが閉められた場合は、ドアが閉められてから、（ドアを閉める前の設定手段（リモコン）の最後の操作の）操作モードに対応する操作有効時間を経過した後は、ドア閉状態での設定手段（リモコン）の操作が（操作者が誰であっても）無効になり、また、ドアが閉められた後で設定手段（リモコン）での最後の有効な操作が行われてから、（ドアを閉めた後の設定手段（リモコン）の最後の有効な操作の）操作モードに対応する操作有効時間を経過した後は、ドア閉状態での設定手段（リモコン）の操作が（操作者が誰であっても）無効になる。
【００６４】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、設定手段（リモコン）の次の操作を有効にするために、ドアを開け閉めする手間、操作有効時間を長めに設定し直す手間、操作有効時間の開始時間をリセットするための操作を行う手間などが増えることを防ぐことができ、作業効率の悪化を抑制できる。
【００６５】
したがって、第２の発明の自動販売機の制御装置は、ドアを閉める前の設定手段（リモコン）の最後の操作から所定時間を経過した後に自動販売機のドアが閉められた場合は、再びドアを開く操作をしない限り、ドア閉状態での設定手段（リモコン）の操作が無効になるように構成したので、第１の発明よりも自動販売機の管理者（またはサービスマン）の設定手段（リモコン）の操作の作業効率を若干悪化させる可能性があるが、第１の発明よりも悪者の設定手段（リモコン）の不正操作による盗難やイタズラを防止する効果を高めることができる。
【００６６】
第３の発明は、特に第２の発明における前記所定時間を前記操作モードに応じて変えたことを特徴とするものであり、操作モード毎に所定時間を、通常の作業手順や、通常の作業手順における前回の操作から今回の操作までの間隔を考慮して、予め適切に設定しておけば、自動販売機の管理者（またはサービスマン）が、設定手段（リモコン）の次の操作を有効にするために、ドア開状態で設定手段（リモコン）を操作して所定時間の開始時間をリセットする手間などが増えることを防ぐことができ、作業効率の悪化を抑制できる。
【００６７】
第４の発明は、特に第１から第３のいずれかの発明に加えて、前記自動販売機本体または前記ドアから所定範囲内に人がいることを検知する人検知手段を備え、前記演算制御部は、前記人検知手段が、前記自動販売機本体または前記ドアから所定範囲内に人がいることを、前記ドアが閉状態になった直後から連続して検知している間は、前記設定手段の操作を有効とするものである。
【００６８】
上記構成により、人検知手段が、自動販売機本体またはドアから所定範囲内に人がいることを、ドアが閉状態になった直後から連続して検知している間は、ドアが閉められてから、（ドアを閉める前の設定手段（リモコン）の最後の操作の）操作モードに対応する操作有効時間を経過した後であっても、設定手段の操作が有効になるので、自動販売機の管理者（またはサービスマン）が、設定手段（リモコン）の次の操作を有効にするために、ドアを開け閉めする手間、操作有効時間を長めに設定し直す手間、操作有効時間の開始時間をリセットするための操作を行う手間などが増えることを防ぐことができ、第１から第３のいずれかの発明よりも、自動販売機の管理者（またはサービスマン）の作業効率の悪化を抑制できる。
【００６９】
なお、人検知手段が人を検知可能な範囲が、自動販売機の管理者（またはサービスマン）の作業範囲を考慮した適切な範囲であれば（適切な範囲にしておけば）、人検知手段が、ドアが閉状態になった直後から自動販売機の管理者（またはサービスマン）ではない人を検知してしまったことを原因として、悪者に設定手段（リモコン）の不正操作による盗難やイタズラをさせてしまうことを防止できる。
【００７０】
以下、本発明による自動販売機の制御装置の実施の形態について、図面を参照しながら説明する。なお、この、実施の形態によって本発明が限定されるものではない。
【００７１】
（実施の形態１）
図１は、本発明の実施の形態１による自動販売機の制御装置の機能ブロック図である。
【００７２】
図２は、同実施の形態の自動販売機の制御装置の動作を示すフローチャートである。
【００７３】
図１に示すように、本実施の形態の自動販売機の制御装置は、自動販売機本体の前面に設けられたドアの開閉状態を検知するドア状態検知手段１と、操作することにより自動販売機の各種設定、設定変更、各種テストを実施することができる設定手段としてのリモコン２と、リモコン２がどの操作モードで使用されているかを検知する操作モード検知手段３と、操作モード毎の操作有効時間を記憶する操作有効時間記憶手段４と、タイマー手段５と、演算制御部６ａとを備えている。
【００７４】
本実施の形態における自動販売機は、缶、ＰＥＴボトル等の容器に入った飲料を販売する一般の飲料自動販売機と同様に、前面を開口した商品収納室に商品を収納する商品収納コラムを多数配設した自動販売機本体と、この自動販売機本体の前面開口部を開閉可能に自動販売機本体の前面にヒンジを回動軸として開閉自在に取り付けられたドアを有している。
【００７５】
そして、ドアの前面には、目視確認し易い箇所に複数の商品見本が並べられた商品展示室、商品見本に対応して配設された商品選択ボタン、比較的右寄りに硬貨投入口と紙幣投入口及び電子マネー用リーダーライター、商品展示室の下方に広告用窓と商品取出口が設けられている。
【００７６】
また、ドアの裏面には、操作することにより自動販売機の各種設定、設定変更、各種テストを実施することができる有線のリモコン２が取り外し可能に取り付けられている。
【００７７】
そして、本実施の形態の自動販売機においても、自動販売機の初期設定をする時や旧商品から新商品に販売する商品を替える時には、自動販売機の管理者（またはサービスマン）が商品選択ボタンを押すことで、商品収納コラムから払い出した商品が、その商品見本と対応するように、リモコン２を操作して設定作業を行う。
【００７８】
商品選択ボタンと商品収納コラムとの対応関係を設定する作業は、通常、所定のリモコン２の操作を行って、フリーベンド（金銭投入なしに商品提供許可）設定として、金銭を投入せずに、商品選択ボタンを押して、その商品選択ボタンに対応する商品収納コラムから商品を払い出されているかを確認する。
【００７９】
この作業は、まずドアを開けた状態で、リモコン２を、ドアの裏面から取り外すとともにドアの下部に形成された商品取出口などを通して外部に取り出し、この後、自動販売機のドアを閉じて、商品が商品取出口に払出可能な状態とし、リモコン２から所定の操作を行う。
【００８０】
なお、本実施の形態の自動販売機においても、リモコン２から別の所定の操作を行って、各商品の販売価格を変更したり、ホット商品やコールド商品を収納する商品収納室の冷温設定を変更したり、商品収納室に設けられる商品収納コラムの設定を変更したりすることもできる。
【００８１】
本実施の形態における演算制御部６ａは、ドア状態検知手段１がドア開状態を検知している時にリモコン２が操作されたことを検知すると、リモコン２の操作を有効とすると共に操作モード検知手段３によりリモコン２がどの操作モードで使用されているかを検知し、ドア状態検知手段１によりドアが開状態から閉状態に変わったことを検知した場合は、タイマー手段５が停止状態であれば計時動作をスタートさせ、タイマー手段５が計時動作状態であれば計測した時間をリセットして計時動作を再スタートさせる。
【００８２】
そして、演算制御部６ａは、ドア閉状態でのタイマー手段５の計測した時間が操作有効時間記憶手段４から読み出した操作モードに対応する操作有効時間に達した後は、ドア閉状態でのリモコン２の操作を無効とする。
【００８３】
また、本実施の形態における演算制御部６ａは、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作されたことを検知すると、リモコン２の今回の操作を有効とすると共に操作モード検知手段３によりリモコン２がどの操作モードで使用されているかを検知し且つタイマー手段５の計測した時間をリセットして計時動作を再スタートさせる。
【００８４】
以上のように構成された本実施の形態の自動販売機の制御装置について、以下その動作を図２のフローチャートを参照しながら説明する。
【００８５】
自動販売機の管理者（またはサービスマン）が、リモコン２を用いて自動販売機の各種設定、設定変更、各種テストを実施する場合は、自動販売機のドアのシリンダー錠を開錠した後、ドアを開いて、ドアの裏面に取り付けられた有線のリモコン２をドアから取り外して、リモコン２の複数のキーを、作業に応じた所定の手順で操作する。
【００８６】
ドアが開いている状態で、リモコン２の操作を開始するためのリモコン２の所定のキーを操作すると、図２のＳＴＥＰ１をＹｅｓ側に分岐して次のＳＴＥＰ２に進み、演算制御部６ａは、リモコン２のキー操作を有効とすると共に、操作モード検知手段３によりリモコン２がどの操作モードで使用されているかを検知する。
【００８７】
商品選択操作をした商品選択ボタンに対応する商品収納コラムから正常に商品が払い出されるかテスト（確認）する場合は、ドアの下部に形成された商品取出口などを通してリモコン２を外部に取り出した後で、自動販売機のドアを閉じて、商品が商品取出口に払出可能な状態とし、フリーベンド（金銭投入なしに商品提供許可）設定となるようにリモコ
ン２から所定の操作を行う。
【００８８】
なお、自動販売機のドアを閉めるのは、リモコン２の操作を開始するためのリモコン２の所定のキーを操作した後、または、別の作業でリモコン２のキー操作をした後とする。
【００８９】
演算制御部６ａは、ドア状態検知手段１によりドアが開状態から閉状態に変わったことを検知すると、図２のＳＴＥＰ３をＹｅｓ側に分岐して次のＳＴＥＰ４に進み、タイマー手段５の計時動作をスタートさせる。この時、先に別の作業を行っていてタイマー手段５が計時動作状態であれば計測した時間をリセットして計時動作を再スタートさせる。そして図２のＳＴＥＰ５に進む。
【００９０】
そして、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作された場合は、図２のＳＴＥＰ５からＳＴＥＰ６に進んだ後に、ＳＴＥＰ６をＹｅｓ側に分岐して次のＳＴＥＰ７をＹｅｓ側に分岐して次のＳＴＥＰ８に進む。
【００９１】
図２のＳＴＥＰ８に進んだ場合は、演算制御部６ａは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図２のＳＴＥＰ５に戻る。
【００９２】
図２のＳＴＥＰ８からＳＴＥＰ５に戻った後で、ドア閉状態でのタイマー手段５の新たに計測した時間が操作有効時間記憶手段４から読み出した（操作モード検知手段３により最近検知した）操作モードに対応する操作有効時間に達する前にドア閉状態で再びリモコン２が操作された場合も同様に、図２のＳＴＥＰ５からＳＴＥＰ６に進んだ後に、ＳＴＥＰ６をＹｅｓ側に分岐して次のＳＴＥＰ７をＹｅｓ側に分岐して次のＳＴＥＰ８に進み、演算制御部６ａは、リモコン２の今回の操作を有効とすると共に操作モード検知手段３によりリモコン２がどの操作モードで使用されているかを検知し且つタイマー手段５の計測した時間をリセットして計時動作を再スタートさせる。
【００９３】
また、ドア閉状態でリモコン２が操作されない間は、図２のＳＴＥＰ５をＹｅｓ側に分岐して次のＳＴＥＰ６をＮｏ側に分岐してＳＴＥＰ５に戻るループを繰り返す。
【００９４】
また、ドア閉状態でのタイマー手段５の計測した時間が操作有効時間記憶手段４から読み出した（操作モード検知手段３により最近検知した）操作モードに対応する操作有効時間を経過した後で、ドア閉状態でリモコン２が操作された場合は、図２のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９に進むことになり、リモコン２の操作が無効になる。そして図２のＳＴＥＰ５に戻る。
【００９５】
ＳＴＥＰ９に進んで、リモコン２の操作が無効になってしまった場合、または、ドア閉状態でのタイマー手段５の計測した時間が操作有効時間記憶手段４から読み出した（操作モード検知手段３により最近検知した）操作モードに対応する操作有効時間を経過した後は、ドアを開けた状態で、リモコン２の所定のキーを操作する必要がある（例えば、リモコン２の所定のキーを操作しなければ操作モードに対応する操作有効時間が０分になる）ように構成することが望ましい。
【００９６】
なお、ドア閉状態でのタイマー手段５の計測した時間が操作有効時間記憶手段４から読み出した（操作モード検知手段３により最近検知した）操作モードに対応する操作有効時
間に対して余裕がある場合で、タイマー手段５の計測した時間をリセットして計時動作を再スタートさせたい場合は、ドアを開けてから閉めるまでの間にリモコン２を操作しなくても構わない。この場合は、図２のＳＴＥＰ５をＮｏ側に分岐して次のＳＴＥＰ１に戻った後に、ＳＴＥＰ２を経由することなくＳＴＥＰ３をＹｅｓ側に分岐して次のＳＴＥＰ４に進む。
【００９７】
そして、ドアが閉じた状態で外部に出したリモコン２を操作する作業が済めば、ドアを再び開けて、リモコン２をドアの裏側に戻し、ドアを開けた状態でのリモコン２を操作する作業も済んでいれば、リモコン２をドアの裏面の所定の取付位置に戻して、ドアを閉め、ドアのシリンダー錠を施錠する。
【００９８】
その後、ドア閉状態でのタイマー手段５の計測した時間が操作有効時間記憶手段４から読み出した（操作モード検知手段３により最近検知した）操作モードに対応する操作有効時間を経過した後で、悪者が、ドアの一部（例えば、商品展示室の下方に設けられた広告用窓）を破壊して、ドア状態検知手段１がドア開を検知しないようにリモコン２を不正に外部に取り出し、ドア閉状態でリモコン２を操作した場合は、図２のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【００９９】
また、ドア閉状態でのタイマー手段５の計測した時間が操作有効時間記憶手段４から読み出した（操作モード検知手段３により最近検知した）操作モードに対応する操作有効時間を経過した後は、ドアを開けた（ドア状態検知手段１がドアの開状態を検知している）状態で、リモコン２の所定のキーを操作しなければ操作モードに対応する操作有効時間が０分になるように構成していれば、ドア閉状態でのタイマー手段５の計測した時間が操作有効時間記憶手段４から読み出した（操作モード検知手段３により最近検知した）操作モードに対応する操作有効時間を経過した後では、悪者が、リモコン２を不正に外部に取り出し、ドア閉状態でリモコン２を操作する前に、ドアを開けた（ドア状態検知手段１がドアの開状態を検知している）状態をつくれたとしても、そのドアを開けた（ドア状態検知手段１がドアの開状態を検知している）状態でリモコン２の所定のキーを操作することができなければ、操作モードに対応する操作有効時間が０分になる。
【０１００】
そのため、この場合は、ドア状態検知手段１がドアの開状態から閉状態への変化を検知するようにドアを開け閉めしてタイマー手段５の計時動作を再スタートさせることができても、図２のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１０１】
以上説明したように本実施の形態の自動販売機の制御装置は、自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が無効になってしまう。
【０１０２】
したがって、悪者は、自動販売機のドアが閉められてから、（ドアを閉める前のリモコン２（設定手段）の最後の操作の）操作モードに対応する操作有効時間を経過した後は、
再びドアを開く操作をしない限り（ドアを開けた（ドア状態検知手段１がドアの開状態を検知している）状態で、リモコン２の所定のキーを操作しておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため、ドア閉状態でリモコン２（設定手段）を操作して自動販売機内の商品を抜き取る等の盗難やイタズラをすることができない。
【０１０３】
そして、自動販売機の管理者（またはサービスマン）が、通常作業で、最後にドアを閉める直前に行うリモコン２（設定手段）の操作（操作モード）が決まっていれば、その最後にドアを閉める直前に行うリモコン２（設定手段）の操作の操作モードに対応する操作有効時間を、比較的短くしておくことにより、悪者が、リモコン２（設定手段）を不正操作できる時間を短くすることができる。
【０１０４】
または、自動販売機の管理者（またはサービスマン）が、操作有効時間が比較的短い設定手段の操作（操作モード）を、最後にドアを閉める直前に行うようにすることにより、悪者が、リモコン２（設定手段）を不正操作できる時間を短くすることができる。
【０１０５】
そして、自動販売機の管理者（またはサービスマン）が、作業を終えても、最後にドアを閉めてから、（ドアを閉める前のリモコン２（設定手段）の最後の操作の）操作モードに対応する操作有効時間を経過するまでは、自動販売機を監視可能な場所から離れないようにすれば、ドア閉状態でリモコン２（設定手段）を操作して自動販売機内の商品を抜き取る等の盗難やイタズラをすることを、より確実に防止できる。
【０１０６】
また、本実施の形態の自動販売機の制御装置は、自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になり、また、ドアが閉められた後でリモコン２（設定手段）での最後の有効な操作が行われてから、（ドアを閉めた後のリモコン２（設定手段）の最後の有効な操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になる。
【０１０７】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、リモコン２（設定手段）の次の操作を有効にするために、ドアを開け閉めする手間（ドアを開けた（ドア状態検知手段１がドアの開状態を検知している）状態で、リモコン２の所定のキーを操作する手間）、操作有効時間を長めに設定し直す手間、操作有効時間の開始時間をリセットするための操作を行う手間などが増えることを防ぐことができ、作業効率の悪化を抑制できる。
【０１０８】
したがって、本実施の形態の自動販売機の制御装置は、自動販売機の管理者（またはサービスマン）のリモコン２（設定手段）の操作の作業効率を悪化させることなく、悪者のリモコン２（設定手段）の不正操作による盗難やイタズラを防止することができる。
【０１０９】
（実施の形態２）
図３は、本発明の実施の形態２による自動販売機の制御装置の機能ブロック図である。
【０１１０】
図４は、同実施の形態の自動販売機の制御装置の動作を示すフローチャートである。
【０１１１】
図３に示すように、本実施の形態の自動販売機の制御装置は、自動販売機本体の前面に設けられたドアの開閉状態を検知するドア状態検知手段１と、操作することにより自動販売機の各種設定、設定変更、各種テストを実施することができる設定手段としてのリモコン２と、リモコン２がどの操作モードで使用されているかを検知する操作モード検知手段３と、操作モード毎の操作有効時間を記憶する操作有効時間記憶手段４と、タイマー手段５と、演算制御部６ｂとを備えている。
【０１１２】
本実施の形態は、実施の形態１における演算制御部６ａを演算制御部６ｂに替えたものであり、演算制御部６ｂ以外の構成は、実施の形態１と同様である。
【０１１３】
本実施の形態における自動販売機は、缶、ＰＥＴボトル等の容器に入った飲料を販売する一般の飲料自動販売機と同様に、前面を開口した商品収納室に商品を収納する商品収納コラムを多数配設した自動販売機本体と、この自動販売機本体の前面開口部を開閉可能に自動販売機本体の前面にヒンジを回動軸として開閉自在に取り付けられたドアを有している。
【０１１４】
そして、ドアの前面には、目視確認し易い箇所に複数の商品見本が並べられた商品展示室、商品見本に対応して配設された商品選択ボタン、比較的右寄りに硬貨投入口と紙幣投入口及び電子マネー用リーダーライター、商品展示室の下方に広告用窓と商品取出口が設けられている。
【０１１５】
また、ドアの裏面には、操作することにより自動販売機の各種設定、設定変更、各種テストを実施することができる有線のリモコン２が取り外し可能に取り付けられている。
【０１１６】
そして、本実施の形態の自動販売機においても、自動販売機の初期設定をする時や旧商品から新商品に販売する商品を替える時には、自動販売機の管理者（またはサービスマン）が商品選択ボタンを押すことで、商品収納コラムから払い出した商品が、その商品見本と対応するように、リモコン２を操作して設定作業を行う。
【０１１７】
商品選択ボタンと商品収納コラムとの対応関係を設定する作業は、通常、所定のリモコン２の操作を行って、フリーベンド（金銭投入なしに商品提供許可）設定として、金銭を投入せずに、商品選択ボタンを押して、その商品選択ボタンに対応する商品収納コラムから商品を払い出されているかを確認する。
【０１１８】
この作業は、まずドアを開けた状態で、リモコン２を、ドアの裏面から取り外すとともにドアの下部に形成された商品取出口などを通して外部に取り出し、この後、自動販売機のドアを閉じて、商品が商品取出口に払出可能な状態とし、リモコン２から所定の操作を行う。
【０１１９】
なお、本実施の形態の自動販売機においても、リモコン２から別の所定の操作を行って、各商品の販売価格を変更したり、ホット商品やコールド商品を収納する商品収納室の冷温設定を変更したり、商品収納室に設けられる商品収納コラムの設定を変更したりすることもできる。
【０１２０】
本実施の形態における演算制御部６ｂは、ドア状態検知手段１がドア開状態を検知している時にリモコン２が操作されたことを検知すると、リモコン２の操作を有効とすると共に操作モード検知手段３によりリモコン２がどの操作モードで使用されているかを検知し且つタイマー手段５が停止状態であれば計時動作をスタートさせ、タイマー手段５が計時
動作状態であれば計測した時間をリセットして計時動作を再スタートさせる。
【０１２１】
そして、本実施の形態における演算制御部６ｂは、ドア開状態でのタイマー手段５の計測する時間が所定時間に達した後でドア状態検知手段１によりドアが開状態から閉状態に変わったことを検知した場合は、ドア閉状態でのリモコン２の操作を無効とする。
【０１２２】
また、本実施の形態における演算制御部６ｂは、ドア開状態でのタイマー手段５の計測する時間が所定時間に達する前にドア状態検知手段１によりドアが開状態から閉状態に変わったことを検知した場合は、タイマー手段５の計測した時間をリセットして計時動作を再スタートさせ、ドア閉状態でのタイマー手段５の計測した時間が操作有効時間記憶手段４から読み出した（操作モード検知手段３により最近検知した）操作モードに対応する操作有効時間に達した後は、ドア閉状態でのリモコン２の操作を無効とする。
【０１２３】
また、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作されたことを検知すると、リモコン２の今回の操作を有効とすると共に操作モード検知手段３によりリモコン２がどの操作モードで使用されているかを検知し且つタイマー手段５の計測した時間をリセットして計時動作を再スタートさせる。
【０１２４】
以上のように構成された本実施の形態の自動販売機の制御装置について、以下その動作を図４のフローチャートを参照しながら説明する。
【０１２５】
自動販売機の管理者（またはサービスマン）が、リモコン２を用いて自動販売機の各種設定、設定変更、各種テストを実施する場合は、自動販売機のドアのシリンダー錠を開錠した後、ドアを開いて、ドアの裏面に取り付けられた有線のリモコン２をドアから取り外して、リモコン２の複数のキーを、作業に応じた所定の手順で操作する。
【０１２６】
ドアが開いている状態で、リモコン２の操作を開始するためのリモコン２の所定のキーを操作すると、図４のＳＴＥＰ１をＹｅｓ側に分岐して次のＳＴＥＰ２に進み、演算制御部６ｂは、リモコン２のキー操作を有効とすると共に、操作モード検知手段３によりリモコン２がどの操作モードで使用されているかを検知し、タイマー手段５の計時動作をスタートさせる。この時、先に別の作業を行っていてタイマー手段５が計時動作状態であれば計測した時間をリセットして計時動作を再スタートさせる。そして図４のＳＴＥＰ３に進む。
【０１２７】
商品選択操作をした商品選択ボタンに対応する商品収納コラムから正常に商品が払い出されるかテスト（確認）する場合は、ドアの下部に形成された商品取出口などを通してリモコン２を外部に取り出した後で、自動販売機のドアを閉じて、商品が商品取出口に払出可能な状態とし、フリーベンド（金銭投入なしに商品提供許可）設定となるようにリモコン２から所定の操作を行う。
【０１２８】
なお、自動販売機のドアを閉めるのは、リモコン２の操作を開始するためのリモコン２の所定のキーを操作した後、または、別の作業でリモコン２のキー操作をした後とする。
【０１２９】
ドア開状態でのタイマー手段５の計測する時間が所定時間に達する前にドアを閉めた場合は、演算制御部６ｂが、ドア開状態でのタイマー手段５の計測する時間が所定時間に達する前にドア状態検知手段１によりドアが開状態から閉状態に変わったことを検知して、図４のＳＴＥＰ３をＹｅｓ側に分岐後にＳＴＥＰ４をＹｅｓ側に分岐して、タイマー手段５の計測した時間をリセットして計時動作を再スタートさせ（図４のＳＴＥＰ５）、図４
のＳＴＥＰ６に進む。
【０１３０】
そして（ＳＴＥＰ６に進んだ後で）、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作された場合は、図４のＳＴＥＰ６からＳＴＥＰ７に進んだ後に、図４のＳＴＥＰ７をＹｅｓ側に分岐して次のＳＴＥＰ８をＹｅｓ側に分岐して次のＳＴＥＰ９に進む。
【０１３１】
図４のＳＴＥＰ９に進んだ場合は、演算制御部６ｂは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図４のＳＴＥＰ６に戻る。
【０１３２】
図４のＳＴＥＰ９からＳＴＥＰ６に戻った後で、ドア閉状態でのタイマー手段５の新たに計測した時間が操作有効時間記憶手段４から読み出した（操作モード検知手段３により最近検知した）操作モードに対応する操作有効時間に達する前にドア閉状態で再びリモコン２が操作された場合も同様に、図４のＳＴＥＰ６からＳＴＥＰ７に進んだ後に、ＳＴＥＰ７をＹｅｓ側に分岐して次のＳＴＥＰ８をＹｅｓ側に分岐して次のＳＴＥＰ９に進み、演算制御部６ｂは、リモコン２の今回の操作を有効とすると共に操作モード検知手段３によりリモコン２がどの操作モードで使用されているかを検知し且つタイマー手段５の計測した時間をリセットして計時動作を再スタートさせる。
【０１３３】
また、ドア閉状態でリモコン２が操作されない間は、図４のＳＴＥＰ６をＹｅｓ側に分岐して次のＳＴＥＰ７をＮｏ側に分岐してＳＴＥＰ６に戻るループを繰り返す。
【０１３４】
また、ドア閉状態でのタイマー手段５の計測した時間が操作有効時間記憶手段４から読み出した（操作モード検知手段３により最近検知した）操作モードに対応する操作有効時間を経過した後で、ドア閉状態でリモコン２が操作された場合は、図４のＳＴＥＰ６からＳＴＥＰ７に進んだ後に、ＳＴＥＰ７をＹｅｓ側に分岐して次のＳＴＥＰ８をＮｏ側に分岐して次のＳＴＥＰ１０に進むことになり、リモコン２の操作が無効になる。そして図４のＳＴＥＰ６に戻る。
【０１３５】
ＳＴＥＰ１０に進んで、リモコン２の操作が無効になってしまった場合、または、ドア閉状態でのタイマー手段５の計測した時間が操作有効時間記憶手段４から読み出した（操作モード検知手段３により最近検知した）操作モードに対応する操作有効時間を経過した後は、ドアを開けた状態で、リモコン２の所定のキーを操作する必要がある（例えば、リモコン２の所定のキーを操作しなければ操作モードに対応する操作有効時間が０分になる）ように構成することが望ましい。
【０１３６】
なお、ドア閉状態でのタイマー手段５の計測した時間が操作有効時間記憶手段４から読み出した（操作モード検知手段３により最近検知した）操作モードに対応する操作有効時間に対して余裕がある場合で、タイマー手段５の計測した時間をリセットして計時動作を再スタートさせたい場合は、ドアを開けてから閉めるまでの間にリモコン２を操作しなくても構わない。この場合は、図４のＳＴＥＰ６をＮｏ側に分岐して次のＳＴＥＰ１に戻った後に、ＳＴＥＰ２を経由することなくＳＴＥＰ３をＹｅｓ側に分岐して次のＳＴＥＰ４に進む。
【０１３７】
本実施の形態では、ドア開状態でのタイマー手段５の計測する時間が所定時間に達した後でドア状態検知手段１によりドアが開状態から閉状態に変わったことを検知した場合（図４のＳＴＥＰ３をＹｅｓ側に分岐後にＳＴＥＰ４をＮｏ側に分岐する場合）は、ドア閉
状態でリモコン２を操作しても、図４のＳＴＥＰ１１をＹｅｓ側に分岐後にＳＴＥＰ１２をＹｅｓ側に分岐してＳＴＥＰ１３に進み、ドア閉状態でのリモコン２の操作は無効になる。
【０１３８】
この場合、ドア開状態でのタイマー手段５の計測する時間が所定時間に達した後でドアを閉めた（図４のＳＴＥＰ４をＮｏ側に分岐した）ことにより、ドア閉状態でのリモコン２の操作が無効になった後で、ドア閉状態でのリモコン２の操作を有効にするには、ドアを開いて（図４のＳＴＥＰ１１をＮｏ側に分岐させて）、ドアが開いている状態で、リモコン２の所定のキーを操作して（図４のＳＴＥＰ１をＹｅｓ側に分岐させて次のＳＴＥＰ２で）、タイマー手段５の計測した時間をリセットして計時動作を再スタートさせてから、ドア開状態でのタイマー手段５の計測する時間が所定時間に達する前にドアを閉める（図４のＳＴＥＰ３とＳＴＥＰ４をＹｅｓ側に分岐させる）必要がある。
【０１３９】
そして、ドアが閉じた状態で外部に出したリモコン２を操作する作業が済めば、ドアを再び開けて、リモコン２をドアの裏側に戻し、ドアを開けた状態でのリモコン２を操作する作業も済んでいれば、リモコン２をドアの裏面の所定の取付位置に戻して、ドアを閉め、ドアのシリンダー錠を施錠する。
【０１４０】
自動販売機の管理者（またはサービスマン）が、ドアを閉める前のリモコン２の最後の有効な操作から所定時間を経過した後に自動販売機のドアを閉めた場合は、図４のＳＴＥＰ４をＮｏ側に分岐するため、悪者が、ドアの一部（例えば、商品展示室の下方に設けられた広告用窓）を破壊して、リモコン２を不正に外部に取り出し、ドア閉状態でリモコン２を操作した場合でも、ドアを開いて（図４のＳＴＥＰ１１をＮｏ側に分岐させて）、ドアが開いている状態で、リモコン２の所定のキーを操作して（図４のＳＴＥＰ１をＹｅｓ側に分岐させて次のＳＴＥＰ２で）、タイマー手段５の計測した時間をリセットして計時動作を再スタートさせてから、ドア開状態でのタイマー手段５の計測する時間が所定時間に達する前にドアを閉めない限り、ドア閉状態でのリモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１４１】
また、自動販売機の管理者（またはサービスマン）が、ドアを閉める前のリモコン２の最後の有効な操作から所定時間以内に自動販売機のドアを閉めた場合であっても、ドア閉状態でのタイマー手段５の計測した時間が操作有効時間記憶手段４から読み出した（操作モード検知手段３により最近検知した）操作モードに対応する操作有効時間を経過した後で、悪者が、ドアの一部（例えば、商品展示室の下方に設けられた広告用窓）を破壊して、ドア状態検知手段１がドア開を検知しないようにリモコン２を不正に外部に取り出し、ドア閉状態でリモコン２を操作した場合は、図４のＳＴＥＰ６からＳＴＥＰ７に進んだ後に、ＳＴＥＰ７をＹｅｓ側に分岐して次のＳＴＥＰ８をＮｏ側に分岐して次のＳＴＥＰ１０に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１４２】
また、ドア閉状態でのタイマー手段５の計測した時間が操作有効時間記憶手段４から読み出した（操作モード検知手段３により最近検知した）操作モードに対応する操作有効時間を経過した後は、ドアを開けた（ドア状態検知手段１がドアの開状態を検知している）状態で、リモコン２の所定のキーを操作しなければ操作モードに対応する操作有効時間が０分になるように構成していれば、ドア閉状態でのタイマー手段５の計測した時間が操作有効時間記憶手段４から読み出した（操作モード検知手段３により最近検知した）操作モードに対応する操作有効時間を経過した後では、悪者が、リモコン２を不正に外部に取り出し、ドア閉状態でリモコン２を操作する前に、ドアを開けた（ドア状態検知手段１がド
アの開状態を検知している）状態をつくれたとしても、そのドアを開けた（ドア状態検知手段１がドアの開状態を検知している）状態でリモコン２の所定のキーを操作することができなければ、操作モードに対応する操作有効時間が０分になる。
【０１４３】
そのため、この場合は、ドア状態検知手段１がドアの開状態から閉状態への変化を検知するようにドアを開け閉めしてタイマー手段５の計時動作を再スタートさせることができても、図４のＳＴＥＰ６からＳＴＥＰ７に進んだ後に、ＳＴＥＰ７をＹｅｓ側に分岐して次のＳＴＥＰ８をＮｏ側に分岐して次のＳＴＥＰ１０に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１４４】
以上説明したように本実施の形態の自動販売機の制御装置は、自動販売機のドアを閉める前のリモコン２（設定手段）の最後の操作から所定時間を経過した後に自動販売機のドアが閉められた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が無効になってしまう。
【０１４５】
したがって、悪者は、ドアを閉める前のリモコン２（設定手段）の最後の操作から所定時間を経過した後に自動販売機のドアが閉められていた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため、ドア閉状態でリモコン２（設定手段）を操作して、自動販売機内の商品を抜き取る等の盗難やイタズラをすることができない。
【０１４６】
言い換えると、自動販売機の管理者（またはサービスマン）が、作業の最後のリモコン２（設定手段）を操作してから所定時間を経過した後に自動販売機のドアを閉めるようにすれば、ドア閉状態でリモコン２（設定手段）を操作して自動販売機内の商品を抜き取る等の盗難やイタズラをすることを、より確実に防止できる。
【０１４７】
また、ドアを閉める前のリモコン２（設定手段）の最後の操作から所定時間以内に自動販売機のドアが閉められていた場合であっても、自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が無効になってしまう。
【０１４８】
したがって、悪者は、ドアを閉める前のリモコン２（設定手段）の最後の操作から所定時間以内に自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため
、ドア閉状態でリモコン２（設定手段）を操作して自動販売機内の商品を抜き取る等の盗難やイタズラをすることができない。
【０１４９】
そして、自動販売機の管理者（またはサービスマン）が、通常作業で、最後にドアを閉める直前に行うリモコン２（設定手段）の操作（操作モード）が決まっていれば、その最後にドアを閉める直前に行うリモコン２（設定手段）の操作の操作モードに対応する操作有効時間を、比較的短くしておくことにより、ドアを閉める前のリモコン２（設定手段）の最後の操作から所定時間以内に自動販売機のドアを閉めた場合における、悪者が、リモコン２（設定手段）を不正操作できる時間を短くすることができる。
【０１５０】
または、自動販売機の管理者（またはサービスマン）が、操作有効時間が比較的短いリモコン２（設定手段）の操作（操作モード）を、最後にドアを閉める直前に行うようにすることにより、ドアを閉める前のリモコン２（設定手段）の最後の操作から所定時間以内に自動販売機のドアを閉めた場合における、悪者が、リモコン２（設定手段）を不正操作できる時間を短くすることができる。
【０１５１】
そして、自動販売機の管理者（またはサービスマン）が、ドアを閉める前のリモコン２（設定手段）の最後の操作から所定時間以内に自動販売機のドアを閉めて作業を終えても、作業を終えるドア閉操作から、（ドアを閉める前のリモコン２（設定手段）の最後の操作の）操作モードに対応する操作有効時間を経過するまでは、自動販売機を監視可能な場所から離れないようにすれば、ドア閉状態でリモコン２（設定手段）を操作して自動販売機内の商品を抜き取る等の盗難やイタズラをすることを、より確実に防止できる。
【０１５２】
また、本実施の形態の自動販売機の制御装置は、ドアを閉める前のリモコン２（設定手段）の最後の操作から所定時間を経過した後に自動販売機のドアが閉められた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が（操作者が誰であっても）無効になる。
【０１５３】
しかしながら、この所定時間を、予め適切に設定しておけば、自動販売機の管理者（またはサービスマン）が、リモコン２（設定手段）の次の操作を有効にするために、ドア開状態でリモコン２（設定手段）を操作して所定時間の開始時間をリセットする手間などが増えることを防ぐことができ、作業効率の悪化を抑制できる。
【０１５４】
また、本実施の形態の自動販売機の制御装置は、ドアを閉める前のリモコン２（設定手段）の最後の操作から所定時間以内に自動販売機のドアが閉められた場合は、ドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になり、また、ドアが閉められた後でリモコン２（設定手段）での最後の有効な操作が行われてから、（ドアを閉めた後のリモコン２（設定手段）の最後の有効な操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になる。
【０１５５】
しかしながら、操作モード毎の操作有効時間を、通常の作業手順や、通常の作業手順に
おける前回の操作から今回の操作までの間隔を考慮して、予め適切に設定しておけば、自動販売機の管理者（またはサービスマン）が、リモコン２（設定手段）の次の操作を有効にするために、ドアを開け閉めする手間（ドアを開けた（ドア状態検知手段１がドアの開状態を検知している）状態で、リモコン２の所定のキーを操作する手間）、操作有効時間を長めに設定し直す手間、操作有効時間の開始時間をリセットするための操作を行う手間などが増えることを防ぐことができ、作業効率の悪化を抑制できる。
【０１５６】
したがって、本実施の形態の自動販売機の制御装置は、ドアを閉める前のリモコン２（設定手段）の最後の操作から所定時間を経過した後に自動販売機のドアが閉められた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が無効になるように構成したので、実施の形態１よりも自動販売機の管理者（またはサービスマン）のリモコン２（設定手段）の操作の作業効率を若干悪化させる可能性があるが、実施の形態１よりも悪者のリモコン２（設定手段）の不正操作による盗難やイタズラを防止する効果を高めることができる。
【０１５７】
なお、所定時間を各操作モードで同一にせずに、操作モード毎に所定時間を、通常の作業手順や、通常の作業手順における前回の操作から今回の操作までの間隔を考慮して、それぞれ予め適切に設定すれば、自動販売機の管理者（またはサービスマン）が、リモコン２（設定手段）の次の操作を有効にするために、ドア開状態でリモコン２（設定手段）を操作して所定時間の開始時間をリセットする手間などが増えることを防ぐことができ、作業効率の悪化を抑制できる。
【０１５８】
（実施の形態３）
図５は、本発明の実施の形態３による自動販売機の制御装置の機能ブロック図である。
【０１５９】
図６は、同実施の形態の自動販売機の制御装置の動作を示すフローチャートである。
【０１６０】
図５に示すように、本実施の形態の自動販売機の制御装置は、自動販売機本体の前面に設けられたドアの開閉状態を検知するドア状態検知手段１と、操作することにより自動販売機の各種設定、設定変更、各種テストを実施することができる設定手段としてのリモコン２と、リモコン２がどの操作モードで使用されているかを検知する操作モード検知手段３と、操作モード毎の操作有効時間を記憶する操作有効時間記憶手段４と、タイマー手段５と、演算制御部６ｃと、自動販売機本体または前記ドアから所定範囲内に人がいることを検知する人感センサー７（人検知手段）を備えている。
【０１６１】
本実施の形態は、実施の形態１の構成に、自動販売機本体またはドアから所定範囲内に人がいることを検知する人感センサー７（人検知手段）を追加し、実施の形態１における演算制御部６ａの替わりに、演算制御部６ａの機能に加えて、人感センサー７（人検知手段）が、自動販売機本体またはドアから所定範囲内に人がいることを、ドアが閉状態になった直後から連続して検知している間は、リモコン２の操作を有効とする機能を備えた演算制御部６ｃを用いたものであり、その他の構成は、実施の形態１と同様である。
【０１６２】
本実施の形態における自動販売機は、缶、ＰＥＴボトル等の容器に入った飲料を販売する一般の飲料自動販売機と同様に、前面を開口した商品収納室に商品を収納する商品収納コラムを多数配設した自動販売機本体と、この自動販売機本体の前面開口部を開閉可能に自動販売機本体の前面にヒンジを回動軸として開閉自在に取り付けられたドアを有している。
【０１６３】
そして、ドアの前面には、目視確認し易い箇所に複数の商品見本が並べられた商品展示室、商品見本に対応して配設された商品選択ボタン、比較的右寄りに硬貨投入口と紙幣投入口及び電子マネー用リーダーライター、商品展示室の下方に広告用窓と商品取出口が設けられている。
【０１６４】
また、ドアの裏面には、操作することにより自動販売機の各種設定、設定変更、各種テストを実施することができる有線のリモコン２が取り外し可能に取り付けられている。
【０１６５】
そして、本実施の形態の自動販売機においても、自動販売機の初期設定をする時や旧商品から新商品に販売する商品を替える時には、自動販売機の管理者（またはサービスマン）が商品選択ボタンを押すことで、商品収納コラムから払い出した商品が、その商品見本と対応するように、リモコン２を操作して設定作業を行う。
【０１６６】
商品選択ボタンと商品収納コラムとの対応関係を設定する作業は、通常、所定のリモコン２の操作を行って、フリーベンド（金銭投入なしに商品提供許可）設定として、金銭を投入せずに、商品選択ボタンを押して、その商品選択ボタンに対応する商品収納コラムから商品を払い出されているかを確認する。
【０１６７】
この作業は、まずドアを開けた状態で、リモコン２を、ドアの裏面から取り外すとともにドアの下部に形成された商品取出口などを通して外部に取り出し、この後、自動販売機のドアを閉じて、商品が商品取出口に払出可能な状態とし、リモコン２から所定の操作を行う。
【０１６８】
なお、本実施の形態の自動販売機においても、リモコン２から別の所定の操作を行って、各商品の販売価格を変更したり、ホット商品やコールド商品を収納する商品収納室の冷温設定を変更したり、商品収納室に設けられる商品収納コラムの設定を変更したりすることもできる。
【０１６９】
本実施の形態における演算制御部６ｃは、ドア状態検知手段１がドア開状態を検知している時にリモコン２が操作されたことを検知すると、リモコン２の操作を有効とすると共に操作モード検知手段３によりリモコン２がどの操作モードで使用されているかを検知し、ドア状態検知手段１によりドアが開状態から閉状態に変わったことを検知した場合は、タイマー手段５が停止状態であれば計時動作をスタートさせ、タイマー手段５が計時動作状態であれば計測した時間をリセットして計時動作を再スタートさせる。
【０１７０】
そして、演算制御部６ｃは、ドア閉状態でのタイマー手段５の計測した時間が操作有効時間記憶手段４から読み出した操作モードに対応する操作有効時間に達した後は、ドア閉状態でのリモコン２の操作を無効とする。
【０１７１】
また、本実施の形態における演算制御部６ｃは、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作されたことを検知すると、リモコン２の今回の操作を有効とすると共に操作モード検知手段３によりリモコン２がどの操作モードで使用されているかを検知し且つタイマー手段５の計測した時間をリセットして計時動作を再スタートさせる。
【０１７２】
また、本実施の形態における演算制御部６ｃは、人感センサー７（人検知手段）が、自動販売機本体またはドアから所定範囲内に人がいることを、ドアが閉状態になった直後から連続して検知している間は、リモコン２の操作を有効とする。
【０１７３】
以上のように構成された本実施の形態の自動販売機の制御装置について、以下その動作を図６のフローチャートを参照しながら説明する。
【０１７４】
自動販売機の管理者（またはサービスマン）が、リモコン２を用いて自動販売機の各種設定、設定変更、各種テストを実施する場合は、自動販売機のドアのシリンダー錠を開錠した後、ドアを開いて、ドアの裏面に取り付けられた有線のリモコン２をドアから取り外して、リモコン２の複数のキーを、作業に応じた所定の手順で操作する。
【０１７５】
ドアが開いている状態で、リモコン２の操作を開始するためのリモコン２の所定のキーを操作すると、図６のＳＴＥＰ１をＹｅｓ側に分岐して次のＳＴＥＰ２に進み、演算制御部６ｃは、リモコン２のキー操作を有効とすると共に、操作モード検知手段３によりリモコン２がどの操作モードで使用されているかを検知する。
【０１７６】
商品選択操作をした商品選択ボタンに対応する商品収納コラムから正常に商品が払い出されるかテスト（確認）する場合は、ドアの下部に形成された商品取出口などを通してリモコン２を外部に取り出した後で、自動販売機のドアを閉じて、商品が商品取出口に払出可能な状態とし、フリーベンド（金銭投入なしに商品提供許可）設定となるようにリモコン２から所定の操作を行う。
【０１７７】
なお、自動販売機のドアを閉めるのは、リモコン２の操作を開始するためのリモコン２の所定のキーを操作した後、または、別の作業でリモコン２のキー操作をした後とする。
【０１７８】
演算制御部６ｃは、ドア状態検知手段１によりドアが開状態から閉状態に変わったことを検知すると、図６のＳＴＥＰ３をＹｅｓ側に分岐して次のＳＴＥＰ４に進み、タイマー手段５の計時動作をスタートさせる。この時、先に別の作業を行っていてタイマー手段５が計時動作状態であれば計測した時間をリセットして計時動作を再スタートさせる。そして図６のＳＴＥＰ５に進む。
【０１７９】
そして、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作された場合は、図６のＳＴＥＰ５からＳＴＥＰ６に進んだ後に、ＳＴＥＰ６をＹｅｓ側に分岐して次のＳＴＥＰ７をＹｅｓ側に分岐して次のＳＴＥＰ８に進む。
【０１８０】
図６のＳＴＥＰ８に進んだ場合は、演算制御部６ｃは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図６のＳＴＥＰ５に戻る。
【０１８１】
図６のＳＴＥＰ８からＳＴＥＰ５に戻った後で、ドア閉状態でのタイマー手段５の新たに計測した時間が操作有効時間記憶手段４から読み出した（操作モード検知手段３により最近検知した）操作モードに対応する操作有効時間に達する前にドア閉状態で再びリモコン２が操作された場合も同様に、図６のＳＴＥＰ５からＳＴＥＰ６に進んだ後に、ＳＴＥＰ６をＹｅｓ側に分岐して次のＳＴＥＰ７をＹｅｓ側に分岐して次のＳＴＥＰ８に進み、演算制御部６ｃは、リモコン２の今回の操作を有効とすると共に操作モード検知手段３によりリモコン２がどの操作モードで使用されているかを検知し且つタイマー手段５の計測した時間をリセットして計時動作を再スタートさせる。
【０１８２】
また、ドア閉状態でリモコン２が操作されない間は、図６のＳＴＥＰ５をＹｅｓ側に分
岐して次のＳＴＥＰ６をＮｏ側に分岐してＳＴＥＰ５に戻るループを繰り返す。
【０１８３】
また、ドア閉状態でのタイマー手段５の計測した時間が操作有効時間記憶手段４から読み出した（操作モード検知手段３により最近検知した）操作モードに対応する操作有効時間を経過した後で、ドア閉状態でリモコン２が操作された場合は、図６のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９に進む。
【０１８４】
図６のＳＴＥＰ９では、演算制御部６ｃは、人感センサー７（人検知手段）が、自動販売機本体またはドアから所定範囲内に人がいることを、ドアが閉状態になった直後から連続して検知しているかを確認し、人感センサー７（人検知手段）が、自動販売機本体またはドアから所定範囲内に人がいることを、ドアが閉状態になった直後から連続して検知していれば、図６のＳＴＥＰ９をＹｅｓ側に分岐して次のＳＴＥＰ８に進み、演算制御部６ｃは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図６のＳＴＥＰ５に戻る。
【０１８５】
図６のＳＴＥＰ９で、人感センサー７（人検知手段）が、自動販売機本体またはドアから所定範囲内に人がいることを、ドアが閉状態になった直後から連続して検知していなければ、図６のＳＴＥＰ９をＮｏ側に分岐して次のＳＴＥＰ１０に進むことになり、リモコン２の操作が無効になる。そして図６のＳＴＥＰ５に戻る。
【０１８６】
図６のＳＴＥＰ１０に進んで、リモコン２の操作が無効になってしまった場合は、ドアを開けた状態で、リモコン２の所定のキーを操作する必要がある（例えば、リモコン２の所定のキーを操作しなければ操作モードに対応する操作有効時間が０分になる）ように構成することが望ましい。
【０１８７】
なお、ドア閉状態でのタイマー手段５の計測した時間が操作有効時間記憶手段４から読み出した（操作モード検知手段３により最近検知した）操作モードに対応する操作有効時間に対して余裕がある場合で、タイマー手段５の計測した時間をリセットして計時動作を再スタートさせたい場合は、ドアを開けてから閉めるまでの間にリモコン２を操作しなくても構わない。この場合は、図６のＳＴＥＰ５をＮｏ側に分岐して次のＳＴＥＰ１に戻った後に、ＳＴＥＰ２を経由することなくＳＴＥＰ３をＹｅｓ側に分岐して次のＳＴＥＰ４に進む。
【０１８８】
そして、ドアが閉じた状態で外部に出したリモコン２を操作する作業が済めば、ドアを再び開けて、リモコン２をドアの裏側に戻し、ドアを開けた状態でのリモコン２を操作する作業も済んでいれば、リモコン２をドアの裏面の所定の取付位置に戻して、ドアを閉め、ドアのシリンダー錠を施錠する。
【０１８９】
その後、ドア閉状態でのタイマー手段５の計測した時間が操作有効時間記憶手段４から読み出した（操作モード検知手段３により最近検知した）操作モードに対応する操作有効時間を経過した後で、悪者が、ドアの一部（例えば、商品展示室の下方に設けられた広告用窓）を破壊して、ドア状態検知手段１がドア開を検知しないようにリモコン２を不正に外部に取り出し、ドア閉状態でリモコン２を操作した場合は、図６のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９をＮｏ側に分岐して次のＳＴＥＰ１０に進んで、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１９０】
また、ドア閉状態でのタイマー手段５の計測した時間が操作有効時間記憶手段４から読み出した（操作モード検知手段３により最近検知した）操作モードに対応する操作有効時間を経過した後で且つ人感センサー７（人検知手段）が、自動販売機本体またはドアから所定範囲内に人がいることを、ドアが閉状態になった直後から連続して検知していない場合は、ドアを開けた（ドア状態検知手段１がドアの開状態を検知している）状態で、リモコン２の所定のキーを操作しなければ操作モードに対応する操作有効時間が０分になるように構成していれば、ドア閉状態でのタイマー手段５の計測した時間が操作有効時間記憶手段４から読み出した（操作モード検知手段３により最近検知した）操作モードに対応する操作有効時間を経過した後では、悪者が、リモコン２を不正に外部に取り出し、ドア閉状態でリモコン２を操作する前に、ドアを開けた（ドア状態検知手段１がドアの開状態を検知している）状態をつくれたとしても、そのドアを開けた（ドア状態検知手段１がドアの開状態を検知している）状態でリモコン２の所定のキーを操作することができなければ、操作モードに対応する操作有効時間が０分になる。
【０１９１】
そのため、この場合は、ドア状態検知手段１がドアの開状態から閉状態への変化を検知するようにドアを開け閉めしてタイマー手段５の計時動作を再スタートさせることができても、図６のＳＴＥＰ５からＳＴＥＰ６に進んだ後に、ＳＴＥＰ６をＹｅｓ側に分岐して次のＳＴＥＰ７をＮｏ側に分岐して次のＳＴＥＰ９をＮｏ側に分岐して次のＳＴＥＰ１０に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０１９２】
以上説明したように本実施の形態の自動販売機の制御装置は、自動販売機のドアが閉められてから、（ドアを閉める前のリモコン２（設定手段）の最後の操作の）操作モードに対応する操作有効時間を経過した後で且つ人感センサー７（人検知手段）が、自動販売機本体またはドアから所定範囲内に人がいることを、ドアが閉状態になった直後から現時点まで連続して検知していない場合は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が無効になってしまう。
【０１９３】
したがって、人感センサー７（人検知手段）が、自動販売機本体またはドアから所定範囲内に人がいることを、ドアが閉状態になった直後から（ドアを閉める前のリモコン２（設定手段）の最後の操作の）操作モードに対応する操作有効時間を経過したリモコン２の不正操作時まで連続して検知する状況を実現できない悪者は、自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため、ドア閉状態でリモコン２（設定手段）を操作して自動販売機内の商品を抜き取る等の盗難やイタズラをすることができない。
【０１９４】
そして、自動販売機の管理者（またはサービスマン）が、通常作業で、最後にドアを閉める直前に行うリモコン２（設定手段）の操作（操作モード）が決まっていれば、その最後にドアを閉める直前に行うリモコン２（設定手段）の操作の操作モードに対応する操作有効時間を、比較的短くしておくことにより、悪者が、リモコン２（設定手段）を不正操作できる時間を短くすることができる。
【０１９５】
または、自動販売機の管理者（またはサービスマン）が、操作有効時間が比較的短い設定手段の操作（操作モード）を、最後にドアを閉める直前に行うようにすることにより、悪者が、リモコン２（設定手段）を不正操作できる時間を短くすることができる。
【０１９６】
そして、自動販売機の管理者（またはサービスマン）が、作業を終えても、最後にドアを閉めてから、（ドアを閉める前のリモコン２（設定手段）の最後の操作の）操作モードに対応する操作有効時間を経過するまでは、自動販売機を監視可能な場所から離れず、人感センサー７（人検知手段）の検知範囲に人がいないのを確認してから自動販売機を監視可能な場所から離れるようにすれば、ドア閉状態でリモコン２（設定手段）を操作して自動販売機内の商品を抜き取る等の盗難やイタズラをすることを、より確実に防止できる。
【０１９７】
また、本実施の形態の自動販売機の制御装置は、自動販売機のドアが閉められてから、（ドアを閉める前のリモコン２（設定手段）の最後の操作の）操作モードに対応する操作有効時間を経過した後は、人感センサー７（人検知手段）が、自動販売機本体またはドアから所定範囲内に人がいることを、ドアが閉状態になった直後から連続して検知していなければ、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になり、また、ドアが閉められた後でリモコン２（設定手段）での最後の有効な操作が行われてから、（ドアを閉めた後のリモコン２（設定手段）の最後の有効な操作の）操作モードに対応する操作有効時間を経過した後は、人感センサー７（人検知手段）が、自動販売機本体またはドアから所定範囲内に人がいることを、ドアが閉状態になった直後から連続して検知していなければ、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になる。
【０１９８】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、リモコン２（設定手段）の次の操作を有効にするために、ドアを開け閉めする手間（ドアを開けた（ドア状態検知手段１がドアの開状態を検知している）状態で、リモコン２の所定のキーを操作する手間）、操作有効時間を長めに設定し直す手間、操作有効時間の開始時間をリセットするための操作を行う手間などが増えることを防ぐことができ、作業効率の悪化を抑制できる。
【０１９９】
また、本実施の形態の自動販売機の制御装置は、人感センサー７（人検知手段）が、自動販売機本体またはドアから所定範囲内に人がいることを、ドアが閉状態になった直後から連続して検知している間は、ドアが閉められてから、（ドアを閉める前の設定手段（リモコン）の最後の操作の）操作モードに対応する操作有効時間を経過した後であっても、リモコン２（設定手段）の操作が有効になるので、自動販売機の管理者（またはサービスマン）が、リモコン２（設定手段）の次の操作を有効にするために、ドアを開け閉めする手間、操作有効時間を長めに設定し直す手間、操作有効時間の開始時間をリセットするための操作を行う手間などが増えることを防ぐことができ、実施の形態１よりも、自動販売機の管理者（またはサービスマン）の作業効率の悪化を抑制できる。
【０２００】
なお、人感センサー７（人検知手段）が人を検知可能な範囲が、自動販売機の管理者（またはサービスマン）の作業範囲を考慮した適切な範囲であれば（適切な範囲にしておけば）、人感センサー７（人検知手段）が、ドアが閉状態になった直後から自動販売機の管理者（またはサービスマン）ではない人を検知してしまったことを原因として、悪者にリモコン２（設定手段）の不正操作による盗難やイタズラをさせてしまうことを、防止でき
る。
【０２０１】
なお、ドアが閉状態で有効なリモコン２（設定手段）の操作が行われたことによりタイマー手段５の計時動作を再スタートさせて（図６のＳＴＥＰ８が行われて）、その後に図６のＳＴＥＰ９に進む場合は、ドアが閉状態でタイマー手段５の計時動作を再スタートさせた時点から、人感センサー７（人検知手段）が、自動販売機本体またはドアから所定範囲内に人がいることを、連続して検知していれば、図６のＳＴＥＰ９をＹｅｓ側に分岐して、図６のＳＴＥＰ８に進むようにすれば、更に自動販売機の管理者（またはサービスマン）の作業効率の悪化を抑制できる。
【０２０２】
（実施の形態４）
図７は、本発明の実施の形態４による自動販売機の制御装置の機能ブロック図である。
【０２０３】
図８は、同実施の形態の自動販売機の制御装置の動作を示すフローチャートである。
【０２０４】
図７に示すように、本実施の形態の自動販売機の制御装置は、自動販売機本体の前面に設けられたドアの開閉状態を検知するドア状態検知手段１と、操作することにより自動販売機の各種設定、設定変更、各種テストを実施することができる設定手段としてのリモコン２と、リモコン２がどの操作モードで使用されているかを検知する操作モード検知手段３と、操作モード毎の操作有効時間を記憶する操作有効時間記憶手段４と、タイマー手段５と、演算制御部６ｄと、自動販売機本体または前記ドアから所定範囲内に人がいることを検知する人感センサー７（人検知手段）を備えている。
【０２０５】
本実施の形態は、実施の形態２の構成に、自動販売機本体またはドアから所定範囲内に人がいることを検知する人感センサー７（人検知手段）を追加し、実施の形態２における演算制御部６ｂの替わりに、演算制御部６ｂの機能に加えて、人感センサー７（人検知手段）が、自動販売機本体またはドアから所定範囲内に人がいることを、ドアが閉状態になった直後から連続して検知している間は、リモコン２の操作を有効とする機能を備えた演算制御部６ｄを用いたものであり、その他の構成は、実施の形態２と同様である。
【０２０６】
本実施の形態における自動販売機は、缶、ＰＥＴボトル等の容器に入った飲料を販売する一般の飲料自動販売機と同様に、前面を開口した商品収納室に商品を収納する商品収納コラムを多数配設した自動販売機本体と、この自動販売機本体の前面開口部を開閉可能に自動販売機本体の前面にヒンジを回動軸として開閉自在に取り付けられたドアを有している。
【０２０７】
そして、ドアの前面には、目視確認し易い箇所に複数の商品見本が並べられた商品展示室、商品見本に対応して配設された商品選択ボタン、比較的右寄りに硬貨投入口と紙幣投入口及び電子マネー用リーダーライター、商品展示室の下方に広告用窓と商品取出口が設けられている。
【０２０８】
また、ドアの裏面には、操作することにより自動販売機の各種設定、設定変更、各種テストを実施することができる有線のリモコン２が取り外し可能に取り付けられている。
【０２０９】
そして、本実施の形態の自動販売機においても、自動販売機の初期設定をする時や旧商品から新商品に販売する商品を替える時には、自動販売機の管理者（またはサービスマン）が商品選択ボタンを押すことで、商品収納コラムから払い出した商品が、その商品見本と対応するように、リモコン２を操作して設定作業を行う。
【０２１０】
商品選択ボタンと商品収納コラムとの対応関係を設定する作業は、通常、所定のリモコ
ン２の操作を行って、フリーベンド（金銭投入なしに商品提供許可）設定として、金銭を投入せずに、商品選択ボタンを押して、その商品選択ボタンに対応する商品収納コラムから商品を払い出されているかを確認する。
【０２１１】
この作業は、まずドアを開けた状態で、リモコン２を、ドアの裏面から取り外すとともにドアの下部に形成された商品取出口などを通して外部に取り出し、この後、自動販売機のドアを閉じて、商品が商品取出口に払出可能な状態とし、リモコン２から所定の操作を行う。
【０２１２】
なお、本実施の形態の自動販売機においても、リモコン２から別の所定の操作を行って、各商品の販売価格を変更したり、ホット商品やコールド商品を収納する商品収納室の冷温設定を変更したり、商品収納室に設けられる商品収納コラムの設定を変更したりすることもできる。
【０２１３】
本実施の形態における演算制御部６ｄは、ドア状態検知手段１がドア開状態を検知している時にリモコン２が操作されたことを検知すると、リモコン２の操作を有効とすると共に操作モード検知手段３によりリモコン２がどの操作モードで使用されているかを検知し且つタイマー手段５が停止状態であれば計時動作をスタートさせ、タイマー手段５が計時動作状態であれば計測した時間をリセットして計時動作を再スタートさせる。
【０２１４】
そして、本実施の形態における演算制御部６ｄは、ドア開状態でのタイマー手段５の計測する時間が所定時間に達した後でドア状態検知手段１によりドアが開状態から閉状態に変わったことを検知した場合は、ドア閉状態でのリモコン２の操作を無効とする。
【０２１５】
また、本実施の形態における演算制御部６ｄは、ドア開状態でのタイマー手段５の計測する時間が所定時間に達する前にドア状態検知手段１によりドアが開状態から閉状態に変わったことを検知した場合は、タイマー手段５の計測した時間をリセットして計時動作を再スタートさせ、ドア閉状態でのタイマー手段５の計測した時間が操作有効時間記憶手段４から読み出した（操作モード検知手段３により最近検知した）操作モードに対応する操作有効時間に達した後は、ドア閉状態でのリモコン２の操作を無効とする。
【０２１６】
また、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作されたことを検知すると、リモコン２の今回の操作を有効とすると共に操作モード検知手段３によりリモコン２がどの操作モードで使用されているかを検知し且つタイマー手段５の計測した時間をリセットして計時動作を再スタートさせる。
【０２１７】
また、本実施の形態における演算制御部６ｄは、人感センサー７（人検知手段）が、自動販売機本体またはドアから所定範囲内に人がいることを、ドアが閉状態になった直後から連続して検知している間は、リモコン２の操作を有効とする。
【０２１８】
以上のように構成された本実施の形態の自動販売機の制御装置について、以下その動作を図８のフローチャートを参照しながら説明する。
【０２１９】
自動販売機の管理者（またはサービスマン）が、リモコン２を用いて自動販売機の各種設定、設定変更、各種テストを実施する場合は、自動販売機のドアのシリンダー錠を開錠した後、ドアを開いて、ドアの裏面に取り付けられた有線のリモコン２をドアから取り外して、リモコン２の複数のキーを、作業に応じた所定の手順で操作する。
【０２２０】
ドアが開いている状態で、リモコン２の操作を開始するためのリモコン２の所定のキーを操作すると、図８のＳＴＥＰ１をＹｅｓ側に分岐して次のＳＴＥＰ２に進み、演算制御部６ｄは、リモコン２のキー操作を有効とすると共に、操作モード検知手段３によりリモコン２がどの操作モードで使用されているかを検知し、タイマー手段５の計時動作をスタートさせる。この時、先に別の作業を行っていてタイマー手段５が計時動作状態であれば計測した時間をリセットして計時動作を再スタートさせる。そして図８のＳＴＥＰ３に進む。
【０２２１】
商品選択操作をした商品選択ボタンに対応する商品収納コラムから正常に商品が払い出されるかテスト（確認）する場合は、ドアの下部に形成された商品取出口などを通してリモコン２を外部に取り出した後で、自動販売機のドアを閉じて、商品が商品取出口に払出可能な状態とし、フリーベンド（金銭投入なしに商品提供許可）設定となるようにリモコン２から所定の操作を行う。
【０２２２】
なお、自動販売機のドアを閉めるのは、リモコン２の操作を開始するためのリモコン２の所定のキーを操作した後、または、別の作業でリモコン２のキー操作をした後とする。
【０２２３】
ドア開状態でのタイマー手段５の計測する時間が所定時間に達する前にドアを閉めた場合は、演算制御部６ｄが、ドア開状態でのタイマー手段５の計測する時間が所定時間に達する前にドア状態検知手段１によりドアが開状態から閉状態に変わったことを検知して、図８のＳＴＥＰ３をＹｅｓ側に分岐後にＳＴＥＰ４をＹｅｓ側に分岐して、タイマー手段５の計測した時間をリセットして計時動作を再スタートさせ（図８のＳＴＥＰ５）、図８のＳＴＥＰ６に進む。
【０２２４】
そして（ＳＴＥＰ６に進んだ後で）、ドア閉状態でのタイマー手段５の計測した時間が操作有効時間記憶手段４から読み出した（操作モード検知手段３により最近検知した）操作モードに対応する操作有効時間に達する前にドア閉状態でリモコン２が操作された場合は、図８のＳＴＥＰ６からＳＴＥＰ７に進んだ後に、図８のＳＴＥＰ７をＹｅｓ側に分岐して次のＳＴＥＰ８をＹｅｓ側に分岐して次のＳＴＥＰ９に進む。
【０２２５】
図８のＳＴＥＰ９に進んだ場合は、演算制御部６ｄは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図８のＳＴＥＰ６に戻る。
【０２２６】
図８のＳＴＥＰ９からＳＴＥＰ６に戻った後で、ドア閉状態でのタイマー手段５の新たに計測した時間が操作有効時間記憶手段４から読み出した（操作モード検知手段３により最近検知した）操作モードに対応する操作有効時間に達する前にドア閉状態で再びリモコン２が操作された場合も同様に、図８のＳＴＥＰ６からＳＴＥＰ７に進んだ後に、ＳＴＥＰ７をＹｅｓ側に分岐して次のＳＴＥＰ８をＹｅｓ側に分岐して次のＳＴＥＰ９に進み、演算制御部６ｄは、リモコン２の今回の操作を有効とすると共に操作モード検知手段３によりリモコン２がどの操作モードで使用されているかを検知し且つタイマー手段５の計測した時間をリセットして計時動作を再スタートさせる。
【０２２７】
また、ドア閉状態でリモコン２が操作されない間は、図８のＳＴＥＰ６をＹｅｓ側に分岐して次のＳＴＥＰ７をＮｏ側に分岐してＳＴＥＰ６に戻るループを繰り返す。
【０２２８】
また、ドア閉状態でのタイマー手段５の計測した時間が操作有効時間記憶手段４から読み出した（操作モード検知手段３により最近検知した）操作モードに対応する操作有効時間を経過した後で、ドア閉状態でリモコン２が操作された場合は、図８のＳＴＥＰ６から
ＳＴＥＰ７に進んだ後に、ＳＴＥＰ７をＹｅｓ側に分岐して次のＳＴＥＰ８をＮｏ側に分岐して次のＳＴＥＰ１０に進む。
【０２２９】
図８のＳＴＥＰ１０では、演算制御部６ｄは、人感センサー７（人検知手段）が、自動販売機本体またはドアから所定範囲内に人がいることを、ドアが閉状態になった直後から連続して検知しているかを確認し、人感センサー７（人検知手段）が、自動販売機本体またはドアから所定範囲内に人がいることを、ドアが閉状態になった直後から連続して検知していれば、図８のＳＴＥＰ１０をＹｅｓ側に分岐して次のＳＴＥＰ９に進み、演算制御部６ｄは、リモコン２の今回の操作を有効とすると共に操作モード検知手段３によりリモコン２がどの操作モードで使用されているかを検知し且つタイマー手段５の計測した時間をリセットして計時動作を再スタートさせる。そして、図８のＳＴＥＰ６に戻る。
【０２３０】
図８のＳＴＥＰ１０で、人感センサー７（人検知手段）が、自動販売機本体またはドアから所定範囲内に人がいることを、ドアが閉状態になった直後から連続して検知していなければ、図８のＳＴＥＰ１０をＮｏ側に分岐して次のＳＴＥＰ１１に進むことになり、リモコン２の操作が無効になる。そして図８のＳＴＥＰ６に戻る。
【０２３１】
図８のＳＴＥＰ１１に進んで、リモコン２の操作が無効になってしまった場合は、ドアを開けた状態で、リモコン２の所定のキーを操作する必要がある（例えば、リモコン２の所定のキーを操作しなければ操作モードに対応する操作有効時間が０分になる）ように構成することが望ましい。
【０２３２】
なお、ドア閉状態でのタイマー手段５の計測した時間が操作有効時間記憶手段４から読み出した（操作モード検知手段３により最近検知した）操作モードに対応する操作有効時間に対して余裕がある場合で、タイマー手段５の計測した時間をリセットして計時動作を再スタートさせたい場合は、ドアを開けてから閉めるまでの間にリモコン２を操作しなくても構わない。この場合は、図８のＳＴＥＰ６をＮｏ側に分岐して次のＳＴＥＰ１に戻った後に、ＳＴＥＰ２を経由することなくＳＴＥＰ３をＹｅｓ側に分岐して次のＳＴＥＰ４に進む。
【０２３３】
本実施の形態では、ドア開状態でのタイマー手段５の計測する時間が所定時間に達した後でドア状態検知手段１によりドアが開状態から閉状態に変わったことを検知した場合（図８のＳＴＥＰ３をＹｅｓ側に分岐後にＳＴＥＰ４をＮｏ側に分岐する場合）は、ドア閉状態でリモコン２を操作しても、図８のＳＴＥＰ１２をＹｅｓ側に分岐後にＳＴＥＰ１３をＹｅｓ側に分岐してＳＴＥＰ１４に進み、ドア閉状態でのリモコン２の操作は無効になる。
【０２３４】
この場合、ドア開状態でのタイマー手段５の計測する時間が所定時間に達した後でドアを閉めた（図８のＳＴＥＰ４をＮｏ側に分岐した）ことにより、ドア閉状態でのリモコン２の操作が無効になった後で、ドア閉状態でのリモコン２の操作を有効にするには、ドアを開いて（図８のＳＴＥＰ１２をＮｏ側に分岐させて）、ドアが開いている状態で、リモコン２の所定のキーを操作して（図８のＳＴＥＰ１をＹｅｓ側に分岐させて次のＳＴＥＰ２で）、タイマー手段５の計測した時間をリセットして計時動作を再スタートさせてから、ドア開状態でのタイマー手段５の計測する時間が所定時間に達する前にドアを閉める（図８のＳＴＥＰ３とＳＴＥＰ４をＹｅｓ側に分岐させる）必要がある。
【０２３５】
そして、ドアが閉じた状態で外部に出したリモコン２を操作する作業が済めば、ドアを再び開けて、リモコン２をドアの裏側に戻し、ドアを開けた状態でのリモコン２を操作する作業も済んでいれば、リモコン２をドアの裏面の所定の取付位置に戻して、ドアを閉め、ドアのシリンダー錠を施錠する。
【０２３６】
自動販売機の管理者（またはサービスマン）が、ドアを閉める前のリモコン２の最後の有効な操作から所定時間を経過した後に自動販売機のドアを閉めた場合は、図８のＳＴＥＰ４をＮｏ側に分岐するため、悪者が、ドアの一部（例えば、商品展示室の下方に設けられた広告用窓）を破壊して、リモコン２を不正に外部に取り出し、ドア閉状態でリモコン２を操作した場合でも、ドアを開いて（図８のＳＴＥＰ１２をＮｏ側に分岐させて）、ドアが開いている状態で、リモコン２の所定のキーを操作して（図８のＳＴＥＰ１をＹｅｓ側に分岐させて次のＳＴＥＰ２で）、タイマー手段５の計測した時間をリセットして計時動作を再スタートさせてから、ドア開状態でのタイマー手段５の計測する時間が所定時間に達する前にドアを閉めない限り、ドア閉状態でのリモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０２３７】
また、自動販売機の管理者（またはサービスマン）が、ドアを閉める前のリモコン２の最後の有効な操作から所定時間以内に自動販売機のドアを閉めた場合であっても、ドア閉状態でのタイマー手段５の計測した時間が操作有効時間記憶手段４から読み出した（操作モード検知手段３により最近検知した）操作モードに対応する操作有効時間を経過した後で、悪者が、ドアの一部（例えば、商品展示室の下方に設けられた広告用窓）を破壊して、ドア状態検知手段１がドア開を検知しないようにリモコン２を不正に外部に取り出し、ドア閉状態でリモコン２を操作した場合は、図８のＳＴＥＰ６からＳＴＥＰ７に進んだ後に、ＳＴＥＰ７をＹｅｓ側に分岐して次のＳＴＥＰ８をＮｏ側に分岐して次のＳＴＥＰ１０をＮｏ側に分岐して次のＳＴＥＰ１１に進んで、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０２３８】
また、ドア閉状態でのタイマー手段５の計測した時間が操作有効時間記憶手段４から読み出した（操作モード検知手段３により最近検知した）操作モードに対応する操作有効時間を経過した後で且つ人感センサー７（人検知手段）が、自動販売機本体またはドアから所定範囲内に人がいることを、ドアが閉状態になった直後から連続して検知していない場合は、ドアを開けた（ドア状態検知手段１がドアの開状態を検知している）状態で、リモコン２の所定のキーを操作しなければ操作モードに対応する操作有効時間が０分になるように構成していれば、ドア閉状態でのタイマー手段５の計測した時間が操作有効時間記憶手段４から読み出した（操作モード検知手段３により最近検知した）操作モードに対応する操作有効時間を経過した後では、悪者が、リモコン２を不正に外部に取り出し、ドア閉状態でリモコン２を操作する前に、ドアを開けた（ドア状態検知手段１がドアの開状態を検知している）状態をつくれたとしても、そのドアを開けた（ドア状態検知手段１がドアの開状態を検知している）状態でリモコン２の所定のキーを操作することができなければ、操作モードに対応する操作有効時間が０分になる。
【０２３９】
そのため、この場合は、ドア状態検知手段１がドアの開状態から閉状態への変化を検知するようにドアを開け閉めしてタイマー手段５の計時動作を再スタートさせることができても、図８のＳＴＥＰ６からＳＴＥＰ７に進んだ後に、ＳＴＥＰ７をＹｅｓ側に分岐して次のＳＴＥＰ８をＮｏ側に分岐して次のＳＴＥＰ１０をＮｏ側に分岐して次のＳＴＥＰ１１に進み、リモコン２の操作が無効になるので、不正に外部に取り出したリモコン２の操作により、自動販売機内の商品を抜き取られる盗難や、自動販売機の商品の販売価格等の設定条件が変更されるイタズラを防止できる。
【０２４０】
以上説明したように本実施の形態の自動販売機の制御装置は、自動販売機のドアを閉める前のリモコン２（設定手段）の最後の操作から所定時間を経過した後に自動販売機のドアが閉められた場合は、再びドアを開く操作をしない限り（ドアを開けた（ドア状態検知
手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が無効になってしまう。
【０２４１】
したがって、悪者は、ドアを閉める前のリモコン２（設定手段）の最後の操作から所定時間を経過した後に自動販売機のドアが閉められていた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため、ドア閉状態でリモコン２（設定手段）を操作して、自動販売機内の商品を抜き取る等の盗難やイタズラをすることができない。
【０２４２】
言い換えると、自動販売機の管理者（またはサービスマン）が、作業の最後のリモコン２（設定手段）を操作してから所定時間を経過した後に自動販売機のドアを閉めるようにすれば、ドア閉状態でリモコン２（設定手段）を操作して自動販売機内の商品を抜き取る等の盗難やイタズラをすることを、より確実に防止できる。
【０２４３】
また、ドアを閉める前のリモコン２（設定手段）の最後の操作から所定時間以内に自動販売機のドアが閉められていた場合であっても、自動販売機のドアが閉められてから、（ドアを閉める前のリモコン２（設定手段）の最後の操作の）操作モードに対応する操作有効時間を経過した後で且つ人感センサー７（人検知手段）が、自動販売機本体またはドアから所定範囲内に人がいることを、ドアが閉状態になった直後から現時点まで連続して検知していない場合は、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が無効になってしまう。
【０２４４】
したがって、人感センサー７（人検知手段）が、自動販売機本体またはドアから所定範囲内に人がいることを、ドアが閉状態になった直後から（ドアを閉める前のリモコン２（設定手段）の最後の操作の）操作モードに対応する操作有効時間を経過したリモコン２の不正操作時まで連続して検知する状況を実現できない悪者は、ドアを閉める前のリモコン２（設定手段）の最後の操作から所定時間以内に自動販売機のドアが閉められてから、（ドアを閉める前のリモコン２（設定手段）の最後の操作の）操作モードに対応する操作有効時間を経過した後は、再びドアを開く操作をしない限り（ドアを開けた（ドア状態検知手段１がドアの開状態を検知している）状態で、リモコン２の所定のキーを操作しておかない限り）、ドア閉状態でリモコン２（設定手段）を操作しても、リモコン２（設定手段）の操作が無効になるので、価格設定やフリーベンド（金銭投入なしに商品提供許可）設定を変更することができず、そのため、ドア閉状態でリモコン２（設定手段）を操作して自動販売機内の商品を抜き取る等の盗難やイタズラをすることができない。
【０２４５】
そして、自動販売機の管理者（またはサービスマン）が、通常作業で、最後にドアを閉める直前に行うリモコン２（設定手段）の操作（操作モード）が決まっていれば、その最後にドアを閉める直前に行うリモコン２（設定手段）の操作の操作モードに対応する操作有効時間を、比較的短くしておくことにより、ドアを閉める前のリモコン２（設定手段）の最後の操作から所定時間以内に自動販売機のドアを閉めた場合における、悪者が、リモコン２（設定手段）を不正操作できる時間を短くすることができる。
【０２４６】
または、自動販売機の管理者（またはサービスマン）が、操作有効時間が比較的短いリモコン２（設定手段）の操作（操作モード）を、最後にドアを閉める直前に行うようにすることにより、ドアを閉める前のリモコン２（設定手段）の最後の操作から所定時間以内に自動販売機のドアを閉めた場合における、悪者が、リモコン２（設定手段）を不正操作できる時間を短くすることができる。
【０２４７】
そして、自動販売機の管理者（またはサービスマン）が、ドアを閉める前のリモコン２（設定手段）の最後の操作から所定時間以内に自動販売機のドアを閉めて作業を終えても、作業を終えるドア閉操作から、（ドアを閉める前のリモコン２（設定手段）の最後の操作の）操作モードに対応する操作有効時間を経過するまでは、自動販売機を監視可能な場所から離れず、人感センサー７（人検知手段）の検知範囲に人がいないのを確認してから自動販売機を監視可能な場所から離れるようにすれば、ドア閉状態でリモコン２（設定手段）を操作して自動販売機内の商品を抜き取る等の盗難やイタズラをすることを、より確実に防止できる。
【０２４８】
また、本実施の形態の自動販売機の制御装置は、ドアを閉める前のリモコン２（設定手段）の最後の操作から所定時間を経過した後に自動販売機のドアが閉められた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が（操作者が誰であっても）無効になる。
【０２４９】
しかしながら、この所定時間を、予め適切に設定しておけば、自動販売機の管理者（またはサービスマン）が、リモコン２（設定手段）の次の操作を有効にするために、ドア開状態でリモコン２（設定手段）を操作して所定時間の開始時間をリセットする手間などが増えることを防ぐことができ、作業効率の悪化を抑制できる。
【０２５０】
また、本実施の形態の自動販売機の制御装置は、ドアを閉める前のリモコン２（設定手段）の最後の操作から所定時間以内に自動販売機のドアが閉められた場合は、ドアが閉められてから、（ドアを閉める前のリモコン２（設定手段）の最後の操作の）操作モードに対応する操作有効時間を経過した後は、人感センサー７（人検知手段）が、自動販売機本体またはドアから所定範囲内に人がいることを、ドアが閉状態になった直後から連続して検知していなければ、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になり、また、ドアが閉められた後でリモコン２（設定手段）での最後の有効な操作が行われてから、（ドアを閉めた後のリモコン２（設定手段）の最後の有効な操作の）操作モードに対応する操作有効時間を経過した後は、人感センサー７（人検知手段）が、自動販売機本体またはドアから所定範囲内に人がいることを、ドアが閉状態になった直後から連続して検知していなければ、再びドアを開く操作をしない限り（ドアを開けた（ドア状態検知手段１がドアの開状態を検知している）状態で、リモコン２の所定のキーを操作しておかない限り）、ドア閉状態でのリモコン２（設定手段）の操作が（操作者が誰であっても）無効になる。
【０２５１】
しかしながら、操作モード毎の操作有効時間を、通常の作業手順や、通常の作業手順における前回の操作から今回の操作までの間隔を考慮して、予め適切に設定しておけば、自動販売機の管理者（またはサービスマン）が、リモコン２（設定手段）の次の操作を有効にするために、ドアを開け閉めする手間（ドアを開けた（ドア状態検知手段１がドアの開状態を検知している）状態で、リモコン２の所定のキーを操作する手間）、操作有効時間
を長めに設定し直す手間、操作有効時間の開始時間をリセットするための操作を行う手間などが増えることを防ぐことができ、作業効率の悪化を抑制できる。
【０２５２】
したがって、本実施の形態の自動販売機の制御装置は、ドアを閉める前のリモコン２（設定手段）の最後の操作から所定時間を経過した後に自動販売機のドアが閉められた場合は、再びドアを開く操作をしない限り（ドアを開けた（ドア状態検知手段１がドアの開状態を検知している）状態で、リモコン２（設定手段）の所定のキーを操作して、タイマー手段５の計時動作を再スタートさせてから、ドア開状態でのタイマー手段５の計測する時間が所定時間に達する前にドアを閉めておかない限り）、ドア閉状態でのリモコン２（設定手段）の操作が無効になるように構成したので、実施の形態１よりも自動販売機の管理者（またはサービスマン）のリモコン２（設定手段）の操作の作業効率を若干悪化させる可能性があるが、実施の形態１よりも悪者のリモコン２（設定手段）の不正操作による盗難やイタズラを防止する効果を高めることができる。
【０２５３】
なお、所定時間を各操作モードで同一にせずに、操作モード毎に所定時間を、通常の作業手順や、通常の作業手順における前回の操作から今回の操作までの間隔を考慮して、それぞれ予め適切に設定すれば、自動販売機の管理者（またはサービスマン）が、リモコン２（設定手段）の次の操作を有効にするために、ドア開状態でリモコン２（設定手段）を操作して所定時間の開始時間をリセットする手間などが増えることを防ぐことができ、作業効率の悪化を抑制できる。
【０２５４】
また、本実施の形態の自動販売機の制御装置は、人感センサー７（人検知手段）が、自動販売機本体またはドアから所定範囲内に人がいることを、ドアが閉状態になった直後から連続して検知している間は、ドアが閉められてから、（ドアを閉める前のリモコン２（設定手段）の最後の操作の）操作モードに対応する操作有効時間を経過した後であっても、リモコン２（設定手段）の操作が有効になるので、自動販売機の管理者（またはサービスマン）が、リモコン２（設定手段）の次の操作を有効にするために、ドアを開け閉めする手間、操作有効時間を長めに設定し直す手間、操作有効時間の開始時間をリセットするための操作を行う手間などが増えることを防ぐことができ、実施の形態２よりも、自動販売機の管理者（またはサービスマン）の作業効率の悪化を抑制できる。
【０２５５】
なお、人感センサー７（人検知手段）が人を検知可能な範囲が、自動販売機の管理者（またはサービスマン）の作業範囲を考慮した適切な範囲であれば（適切な範囲にしておけば）、人感センサー７（人検知手段）が、ドアが閉状態になった直後から自動販売機の管理者（またはサービスマン）ではない人を検知してしまったことを原因として、悪者に設定手段（リモコン）の不正操作による盗難やイタズラをさせてしまうことを防止できる。
【０２５６】
なお、ドアが閉状態で有効なリモコン２（設定手段）の操作が行われたことによりタイマー手段５の計時動作を再スタートさせて（図８のＳＴＥＰ９が行われて）、その後に図８のＳＴＥＰ１０に進む場合は、ドアが閉状態でタイマー手段５の計時動作を再スタートさせた時点から、人感センサー７（人検知手段）が、自動販売機本体またはドアから所定範囲内に人がいることを、連続して検知していれば、図８のＳＴＥＰ１０をＹｅｓ側に分岐して、図８のＳＴＥＰ９に進むようにすれば、更に自動販売機の管理者（またはサービスマン）の作業効率の悪化を抑制できる。
【産業上の利用可能性】
【０２５７】
以上のように、本発明は、自動販売機の管理者（またはサービスマン）の設定手段（リモコン）の操作の作業効率を悪化させることなく、悪者の設定手段（リモコン）の不正操作による盗難やイタズラを防止することができるので、特に盗難やイタズラの被害にあう可能性が高い屋外に設置された飲料自動販売機に適している。また、収納された商品を販
売する自動販売機に限らず、所定条件で人に物品を自動で（無料で）提供する自動物品提供装置のような用途にも適用できる。
【符号の説明】
【０２５８】
１  ドア状態検知手段
２  リモコン（設定手段）
３  操作モード検知手段
４  操作有効時間記憶手段
５  タイマー手段
６ａ  演算制御部
６ｂ  演算制御部
６ｃ  演算制御部
６ｄ  演算制御部
７  人感センサー（人検知手段）
【図１】
2014225052.tif 000003
【図２】
2014225052.tif 000004
【図３】
2014225052.tif 000005
【図４】
2014225052.tif 000006
【図５】
2014225052.tif 000007
【図６】
2014225052.tif 000008
【図７】
2014225052.tif 000009
【図８】
2014225052.tif 000010